(57)【特許請求の範囲】
【請求項１】
陳列棚であって、
シート状のブランクにより形成された本体部で、
背面部（３０）と右側面部（４０）と正面部（５０）と左側面部（７０）とを有する筒状部で、
正面部が、高さ方向に間隔を介して設けられた複数の正面本体部で、各正面本体部が右側面部と左側面部の間に架設された複数の正面本体部（５２ａ、５２ｂ、５２ｃ）と、該複数の正面本体部のうち最下段の正面本体部以外の正面本体部である特定正面本体部（５２ａ、５２ｂ）の下辺から第１折れ線を介して連設された棚部ユニットで、特定正面本体部の下辺から第１折れ線を介して連設された棚部（５４ａ、５４ｂ）と、棚部の第１折れ線とは反対側の辺部から第２折れ線を介して連設された糊代部（６２ａ、６２ｂ）とを有する棚部ユニット（５３ａ、５３ｂ）とを有する筒状部（２０）と、
筒状部の下端の開口を開閉可能な底部（９０）と、を有する本体部（１０）と、
シート状のブランクにより形成された板状部で、背面側の面が背面部の内側の面に対向して筒状部内に設けられ、糊代部における正面本体部の内側の面と同じ側の面が板状部の正面側の面に接着された板状部（１１０）と、
を有し、
特定正面本体部から連設された棚部が、該特定正面本体部から第１折れ線を介して連設された棚部本体（５６ａ、５６ｂ）と、棚部本体の第１折れ線側とは反対側の辺部から連設された第１突状部（５８ａ、６０ａ、５８ｂ、６０ｂ）とを有し、糊代部が、棚部本体の第１折れ線側とは反対側の辺部における第１突状部が形成されていない部位から第２折れ線を介して連設され、
板状部には、陳列棚の組立て状態において、棚部の第１突状部が挿入される第１穴部（１１２ａ、１１４ａ、１１２ｂ、１１４ｂ）が形成され、
背面部には、陳列棚の組立て状態において、第１穴部に挿入されて第１穴部を貫通した第１突状部が係止する第２穴部（３２ａ、３４ａ、３２ｂ、３４ｂ）が形成され、
陳列棚の折畳み状態では、陳列棚の組立て状態に比べて、筒状部における背面部が正面本体部に近づいた状態であり、棚部ユニットが該棚部ユニットが連設された正面本体部から下方に向いた状態であるとともに、底部が筒状部の下端の開口を開いた状態で、板状部の下端が筒状部の下端から下方に突出し、
陳列棚を折畳み状態から組立て状態にするには、背面部が正面本体部から遠ざかった状態にして筒状部を四角筒状にし、板状部を筒状部に対して上方に引き上げるとともに、底部が筒状部の下端の開口を閉じた状態とし、
陳列棚の組立て状態においては、板状部が背面部と重なり合い、棚部が、正面本体部及び糊代部に対して折曲して、略水平方向となり、板状部の下端が底部に接した状態であり、第１突状部が第１穴部を貫通して第２穴部に係止されることを特徴とする陳列棚。
【請求項２】
板状部の上端から板状の広告表示部（１２０）が設けられ、陳列棚の組立て状態において、広告表示部の少なくとも一部の領域が背面部の上端よりも上方に突出することを特徴とする請求項１に記載の陳列棚。
【請求項３】
背面部には、その上端に上方に突出して形成された第２突状部（３６）が設けられ、
広告表示部は、板状部との境界位置に略コ字状の第１切込み（Ｋ１２４）を形成することにより板状部側に突出した第３突状部（１２４）を有し、板状部と広告表示部間の境界位置には、第１切込みとつながる第３折れ線（Ｃ５０、Ｃ６０）が形成され、
広告表示部を板状部に対して第３折れ線を介して正面側に折り曲げた状態で、第２突状部を第１切込みに差し込み、その後、広告表示部を板状部に対して背面側に回動させることにより第２突状部と第３突状部とが係合した状態となることを特徴とする請求項２に記載の陳列棚。
【請求項４】
陳列棚であって、
シート状のブランクにより形成された本体部で、
背面部（３０）と右側面部（４０）と正面部（５０）と左側面部（７０）とを有する筒状部で、
正面部が、高さ方向に間隔を介して設けられた複数の正面本体部で、各正面本体部が右側面部と左側面部の間に架設された複数の正面本体部（５２ａ、５２ｂ、５２ｃ）と、該複数の正面本体部のうち最下段の正面本体部以外の正面本体部である特定正面本体部（５２ａ、５２ｂ）の下辺から第１折れ線を介して連設された棚部ユニットで、特定正面本体部の下辺から第１折れ線を介して連設された棚部（５４ａ、５４ｂ）と、棚部の第１折れ線とは反対側の辺部から第２折れ線を介して連設された糊代部（６２ａ、６２ｂ）とを有する棚部ユニット（５３ａ、５３ｂ）とを有する筒状部（２０）と、
筒状部の下端の開口を開閉可能な底部（９０）と、を有する本体部（１０）と、
シート状のブランクにより形成された板状部で、背面側の面が背面部の内側の面に対向して筒状部内に設けられ、糊代部における正面本体部の内側の面と同じ側の面が板状部の正面側の面に接着された板状部（１１０）と、
板状部の上端から設けられた板状の広告表示部（１２０）と、
を有し、
背面部には、その上端に上方に突出して形成された第１突状部（３６）が設けられ、
広告表示部は、板状部との境界位置に略コ字状の第１切込み（Ｋ１２４）を形成することにより板状部側に突出した第２突状部（１２４）を有し、板状部と広告表示部間の境界位置には、第１切込みとつながる第３折れ線（Ｃ５０、Ｃ６０）が形成され、
陳列棚の折畳み状態では、陳列棚の組立て状態に比べて、筒状部における背面部が正面本体部に近づいた状態であり、棚部ユニットが該棚部ユニットが連設された正面本体部から下方に向いた状態であるとともに、底部が筒状部の下端の開口を開いた状態で、板状部の下端が筒状部の下端から下方に突出し、
陳列棚を折畳み状態から組立て状態にするには、背面部が正面本体部から遠ざかった状態にして筒状部を四角筒状にし、板状部を筒状部に対して上方に引き上げるとともに、底部が筒状部の下端の開口を閉じた状態とし、
陳列棚の組立て状態においては、板状部が背面部と重なり合い、棚部が、正面本体部及び糊代部に対して折曲して、略水平方向となり、板状部の下端が底部に接した状態であるとともに、広告表示部の少なくとも一部の領域が背面部の上端よりも上方に突出し、
広告表示部を板状部に対して第３折れ線を介して正面側に折り曲げた状態で、第１突状部を第１切込みに差し込み、その後、広告表示部を板状部に対して背面側に回動させることにより第１突状部と第２突状部とが係合した状態となることを特徴とする陳列棚。
【請求項５】
板状部には、吊下げ用の部材を挿通するための第３穴部（１１２ｃ、１１４ｃ）が左右両側に設けられ、背面部には、吊下げ用の部材を挿通するための第４穴部（３２ｃ、３４ｃ）が左右両側に設けられ、陳列棚の組立て状態においては、右側の第３穴部と右側の第４穴部とが一致して１つの穴部を形成し、左側の第３穴部と左側の第４穴部とが一致して１つの穴部を形成することを特徴とする請求項１又は２又は３又は４に記載の陳列棚。
【請求項６】
棚部ユニットにおける糊代部の棚部とは反対側の端部には、切欠状又は穴状の第１指掛け部構成部（６４ａ、６４ｂ）が形成され、板状部における第１指掛け部構成部の形成位置には、第１指掛け部構成部と重なった穴状の第２指掛け部構成部（１１６ａ、１１６ｂ）が形成され、第１指掛け部構成部と第２指掛け部構成部とにより指掛け部（Ｇａ、Ｇｂ）が形成されていることを特徴とする請求項１又は２又は３又は４又は５に記載の陳列棚。
【請求項７】
陳列棚であって、
シート状のブランクにより形成された本体部で、
背面部（３０）と右側面部（４０）と正面部（５０）と左側面部（７０）とを有する筒状部で、
正面部が、高さ方向に間隔を介して設けられた複数の正面本体部で、各正面本体部が右側面部と左側面部の間に架設された複数の正面本体部（５２ａ、５２ｂ、５２ｃ）と、該複数の正面本体部のうち最下段の正面本体部以外の正面本体部である特定正面本体部（５２ａ、５２ｂ）の下辺から第１折れ線を介して連設された棚部ユニットで、特定正面本体部の下辺から第１折れ線を介して連設された棚部（５４ａ、５４ｂ）と、棚部の第１折れ線とは反対側の辺部から第２折れ線を介して連設された糊代部（６２ａ、６２ｂ）とを有する棚部ユニット（５３ａ、５３ｂ）とを有する筒状部（２０）と、
筒状部の下端の開口を開閉可能な底部（９０）と、を有する本体部（１０）と、
シート状のブランクにより形成された板状部で、背面側の面が背面部の内側の面に対向して筒状部内に設けられ、糊代部における正面本体部の内側の面と同じ側の面が板状部の正面側の面に接着された板状部（１１０）と、
を有し、
板状部には、吊下げ用の部材を挿通するための第１穴部（１１２ｃ、１１４ｃ）が左右両側に設けられ、背面部には、吊下げ用の部材を挿通するための第２穴部（３２ｃ、３４ｃ）が左右両側に設けられ、
陳列棚の折畳み状態では、陳列棚の組立て状態に比べて、筒状部における背面部が正面本体部に近づいた状態であり、棚部ユニットが該棚部ユニットが連設された正面本体部から下方に向いた状態であるとともに、底部が筒状部の下端の開口を開いた状態で、板状部の下端が筒状部の下端から下方に突出し、
陳列棚を折畳み状態から組立て状態にするには、背面部が正面本体部から遠ざかった状態にして筒状部を四角筒状にし、板状部を筒状部に対して上方に引き上げるとともに、底部が筒状部の下端の開口を閉じた状態とし、
陳列棚の組立て状態においては、板状部が背面部と重なり合い、棚部が、正面本体部及び糊代部に対して折曲して、略水平方向となり、板状部の下端が底部に接した状態であり、右側の第１穴部と右側の第２穴部とが一致して１つの穴部を形成し、左側の第１穴部と左側の第２穴部とが一致して１つの穴部を形成することを特徴とする陳列棚。
【請求項８】
陳列棚であって、
シート状のブランクにより形成された本体部で、
背面部（３０）と右側面部（４０）と正面部（５０）と左側面部（７０）とを有する筒状部で、
正面部が、高さ方向に間隔を介して設けられた複数の正面本体部で、各正面本体部が右側面部と左側面部の間に架設された複数の正面本体部（５２ａ、５２ｂ、５２ｃ）と、該複数の正面本体部のうち最下段の正面本体部以外の正面本体部である特定正面本体部（５２ａ、５２ｂ）の下辺から第１折れ線を介して連設された棚部ユニットで、特定正面本体部の下辺から第１折れ線を介して連設された棚部（５４ａ、５４ｂ）と、棚部の第１折れ線とは反対側の辺部から第２折れ線を介して連設された糊代部（６２ａ、６２ｂ）とを有する棚部ユニット（５３ａ、５３ｂ）とを有する筒状部（２０）と、
筒状部の下端の開口を開閉可能な底部（９０）と、を有する本体部（１０）と、
シート状のブランクにより形成された板状部で、背面側の面が背面部の内側の面に対向して筒状部内に設けられ、糊代部における正面本体部の内側の面と同じ側の面が板状部の正面側の面に接着された板状部（１１０）と、
を有し、
棚部ユニットにおける糊代部の棚部とは反対側の端部には、切欠状又は穴状の第１指掛け部構成部（６４ａ、６４ｂ）が形成され、板状部における第１指掛け部構成部の形成位置には、第１指掛け部構成部と重なった穴状の第２指掛け部構成部（１１６ａ、１１６ｂ）が形成され、第１指掛け部構成部と第２指掛け部構成部とにより指掛け部（Ｇａ、Ｇｂ）が形成され、
陳列棚の折畳み状態では、陳列棚の組立て状態に比べて、筒状部における背面部が正面本体部に近づいた状態であり、棚部ユニットが該棚部ユニットが連設された正面本体部から下方に向いた状態であるとともに、底部が筒状部の下端の開口を開いた状態で、板状部の下端が筒状部の下端から下方に突出し、
陳列棚を折畳み状態から組立て状態にするには、背面部が正面本体部から遠ざかった状態にして筒状部を四角筒状にし、板状部を筒状部に対して上方に引き上げるとともに、底部が筒状部の下端の開口を閉じた状態とし、
陳列棚の組立て状態においては、板状部が背面部と重なり合い、棚部が、正面本体部及び糊代部に対して折曲して、略水平方向となり、板状部の下端が底部に接した状態であることを特徴とする陳列棚。
【請求項９】
底部が、背面部の下辺から折れ線を介して連設された背面側底形成部（９２）と、右側面部の下辺から折れ線を介して連設された右側面側底形成部（９４）と、正面部の下辺から折れ線を介して連設された正面側底形成部（９６）と、左側面部の下辺から折れ線を介して連設された左側面側底形成部（９８）とを有し、背面側底形成部と右側面側底形成部と正面側底形成部と左側面側底形成部とを組み合わせることにより、底部が筒状部の下端の開口を閉じた状態とすることを特徴とする請求項１又は２又は３又は４又は５又は６又は７又は８に記載の陳列棚。
【発明の詳細な説明】
【技術分野】
【０００１】
本発明は、陳列棚に関するものであり、特に、段ボール材等の紙材から製造され、商品の陳列に用いられる陳列棚に関するものである。
【背景技術】
【０００２】
従来より、組み立て式で紙材製の陳列棚が存在する。この陳列棚は、金属、木材等の非紙材製のものに比べ軽量で、折り畳むことにより、嵩張らないことから、展示場、販売店等への搬送が容易であり、商品の陳列用として利用されている。
【０００３】
例えば、特許文献１に記載の正面差込棚は、背壁８と、背壁８の一方の側縁部から連設され、背壁８に対して直角をなす一方の側壁９と、背壁８の他方の側縁部から連設され、背壁８に対して直角をなし、上記一方の側壁９と相対する他方の側壁９とを有する外囲い１５と、棚板５とを有し、棚板５は外囲い１５に着脱自在に取り付けられている。つまり、棚板５には、その側縁前部から側方に突出する側出片６が形成され、側出片６の基部にその後部側から切り込まれた側切込７が形成され、また側壁９には、その正面側から切り込まれた前切込１０が形成され、側切込７の奥側部（側切込７の最奥端部よりもさらに前側に位置する部分）（差し込み部）が前切込１０（被差し込み部）に差し込まれるとともに、前切込１０の奥側部（前切込１０の最奥端部よりもさらに背側に位置する部分）（差し込み部）が側切込７（被差し込み部）に差し込まれている。また、側壁９の背側に設けられた側溝１４（被差し込み部）に、棚板５の側縁後部に設けられた側突起１２（差し込み部）が差し込まれ、背壁８に設けられた背溝１６（被差し込み部）に、棚板５の背側縁に設けられた背凸縁１３（差し込み部）が差し込まれている。
【０００４】
また、特許文献２に記載の前差込棚は、背板５と、背板５の一方の側縁部から連設され、背板５に対して直角をなす一方の側板６と、背板５の他方の側縁部から連設され、背板５に対して直角をなし、上記一方の側板６に相対する他方の側板６とを有する枠壁３と、棚板２とを有し、棚板２は枠壁３に着脱自在に取り付けられている。つまり、棚板２には、その側縁前部から側方に突出する突出片９が形成され、突出片９の基部にその後部側から切り込まれた側切込１０が形成され、また側板６には、その正面側から切り込まれた前切込４が形成され、側切込１０の奥側部（側切込１０の最奥端部よりもさらに前側に位置する部分）が前切込４に差し込まれるとともに、前切込４の奥側部（前切込４の最奥端部よりもさらに背側に位置する部分）が側切込１０に差し込まれている。また、側板６の背側に設けられた固定穴７に、棚板２の側縁後部に設けられた突起１１が差し込まれ、背板５に設けられた背穴１３に、棚板２の背側縁に設けられた凸縁１２が差し込まれている。
【０００５】
また、特許文献３（特に、特許文献３の図５〜図１０を参照）に記載の簡易組み立て棚においては、棚部材７が着脱式ではなく折り畳み式になっている。つまり、この簡易組み立て棚は、背面部材２と、背面部材２の左右両側に縦方向の折曲線を介して前方へ折り曲げ自在に連結した左右対称形状の側面部材３と、背面部材２の高さ方向に所定間隔をあけて水平状に取り付けた複数の棚部材７とから構成され、左右の側面部材３は薄厚の幅部８を介して折り曲げ形成した外側面９と内側面１０とを備え、内側面１０に水平切込線１２と円弧形切込線１３とが連続形成された円弧形切込面１４が形成され、棚部材７は、背面部材２への取り付け箇所にて前屈方向へ折り曲げ自在に形成され、棚部材７（の下側底面２０）の側端部には、折曲線２０ａを介して係止片２５が連設され、係止片２５の後端には、突出係止片２６が形成されている。
【０００６】
使用する際には、特許文献３の図８に示された展開状態を横に寝かした状態で、左右の側面部材３を前方へ垂直方向に起こす。このとき、特許文献３の図５（ａ）又は（ｃ）の展開状態において、側面部材３の内側面１０と同一の面を保っていた円弧形切込面１４が、特許文献３の図５（ｂ）又は（ｄ）に示されているように、両側の側面部材３を前方へ垂直方向に折り曲げることによって、側面部材３の内側面１０に対向している外側面９の内面に接触する。また、この外側面９に押されて各円弧形切込面１４が、特許文献３の図８のように平状に展開していた棚部材７の係止片２５を押圧し、係止片２５を下側底面２０に対して下側垂直方向に屈曲する。このとき、係止片２５の後端の突出係止片２６は、水平切込線１２の内側に差し込まれた状態にされているため、係止片２５もまた水平切込線１２の内側に差し込まれた状態を保つ。この状態で両側の側面部材３を立ち上げると、特許文献３の図８に示すように、棚部材７が自重で前傾を始める。このとき、棚部材７の係止片２５の突出係止片２６が側面部材３の水平切込線１２に係止される状態を保ち前傾する。そして、補助的に棚部材７を手作業で水平状態に押し下げると、棚部材７の係止片２５の折曲線２０ａが水平切込線１２の上辺に係止される結果、棚部材７が水平状態になる。従って、現場等においては、特に熟練した者でなくても、迅速且つ容易に組立作業を終えることが可能となる。また、組立て後の簡易組立て棚を撤収する際にも、上記の作業を逆に行うだけで、もとの薄型で平状な展開形状に戻すことが可能である。
【０００７】
また、特許文献４（特に、特許文献４の図５を参照）に記載の組立棚においても、棚板５０は折り畳み式で、背板１０の左右方向の略中央に上下方向に走る中央折線１１（中央折線１１については、特許文献４の図２（ｂ）を参照）が形成され、この中央折り線１１を介して、背板１０の中央折線１１よりも左側の部分の正面側と、背板１０の中央折線１１よりも右側の部分の正面側とが相対するように、背板１０が二つ折りにされるとともに、左側板３０ａと、右側板３０ｂとの間に架設された棚板５０が折り畳まれるようになっている。
【０００８】
つまり、特許文献４の図３に示されているように、棚板５０は、下棚板５１と、下棚板５１の上端に連設された上棚板５２と、上棚板５２の上端に連設された落止板５３とを有し、下棚板５１の左右方向中央上部には、上下方向に走る中央折線５４が形成され、下棚板５１の左右方向中央下部には、中央折線５４の延長線に上下方向に走る中央折線５５が形成され、下棚板５１の左右方向中央には、左方にコの字状に突出し中央折線５４、５５の対向する端点を結ぶ切り込み５６が形成されている。
【０００９】
また、下棚板５１の中央折線５４、５５を挟んで右側の部分及び切り込み５６を外郭とする台形部（下棚板固定部５７）の上端と上棚板５２の右下端との間には、左右方向に走る右部折線６０が形成されていて、右部折線６０を介して、上棚板５２を下棚板５１に対して、略１８０度折り曲げることにより、下棚板５１の上面と上棚板５２の下面とが合わさり、下棚板固定部５７は、上棚板５２の下面に接着剤等により接着され、下棚板５１の中央折線５４、５５を挟んで左側の部分（下棚板回動部５８）の上端と上棚板５２の左下端との間には、左右方向に走る切り込み５９が形成されていて、下棚板回動部５８は、上棚板５２とは接着されていないので、中央折線５４、５５を軸に回動する。
【００１０】
また、下棚板５１の左部には、左部折線６１を介して糊代６２が連設され、この糊代６２は、左部折線６１を介して、下方に折り曲げられ、左側板３０ａ（特許文献４の図２（ａ）を参照）における内側面３３ａのスリット４６ａに差し込まれて、内側面３３ａの裏面に接着剤等により接着されている。また、下棚板５１の右部には、右部折線６３を介して糊代６４が連設され、この糊代６４は、右部折線６３を介して、下方に折り曲げられ、右側板３０ｂ（特許文献４の図２（ｃ）を参照）における内側面３３ｂのスリット４６ｂに差し込まれて、内側面３３ｂの裏面に接着剤等により接着されている。また、上棚板５２の左部には、突起部６５が形成され、この突起部６５は、組み立てられた状態では、スリット４６ａにおいて、スリット４６ａに差し込まれている糊代６２の上方に差し込まれている。
【００１１】
使用する際には、特許文献４の図５に示されるように、まず、折り畳まれた状態から、左側板３０ａと右側板３０ｂとを左右に引き離すと、中央折線５４、５５を介して、二つ折り状態にされていた下棚板５１の左右の端部が互いに反する向きに引き離され、略水平な状態になるとともに、起立していた上棚板５２が倒伏し、下棚板回動部５８により、上棚板５２の左側が支持される。次に、上棚板５２の突起部６５を左側板３０ａにおける内側面３３ａのスリット４６ａに差し込む。すると、左側板３０ａと右側板３０ｂとが上棚板５２により支持され、これにより、背板１０は中央折線５４、５５による屈曲ができなくなり、組み立てられた状態が維持される。また、折り畳む際には、上記手順を逆に行えばよい。
【先行技術文献】
【特許文献】
【００１２】
【特許文献１】特開２００１−４６１９５号公報
【特許文献２】特開２００１−２７５８０６号公報
【特許文献３】特開２０１３−１７２９４９号公報
【特許文献４】特開２０１３−２５５６３１号公報
【発明の概要】
【発明が解決しようとする課題】
【００１３】
しかし、上記各特許文献に記載のものは、それぞれ以下の問題を有していた。つまり、特許文献１及び特許文献２のものにおいては、本体部（特許文献１の「外囲い１５」、特許文献２の「枠壁３」）と、棚部（特許文献１の「棚板５」、特許文献２の「棚板２」）とが別体で、陳列棚の組み立て及び折り畳みの度に、棚部の本体部への取り付けまたは取り外しが必要で、手間が掛かって面倒であった。また、組み立てと折り畳みとを繰り返すことによって、差し込み部と被差し込み部の周辺部が傷付き、次第に弱くなって、棚部の取り付けが緩くなり、陳列物を支持できなくなるという問題もあった。
【００１４】
また、特許文献３のものにおいては、組み立てについては簡易であるとしても、棚部材７の係止片２５の折曲線２０ａが水平切込線１２の上辺部に係止されているので、陳列物と、これを支持する棚部材７の荷重が係止片２５の折曲線２０ａに集中し、そのため棚部材７が折曲線２０ａから破断したり、水平切込線１２の下側の部位が折れ曲がったりする可能性があり、耐荷重性及び耐久性の点において問題があった。また、水平切込線１２と、円弧形切込線１３と、円弧形切込面１４が、比較的目に付く部分に露出していることから、見栄えが悪く、商品を陳列するための棚としては、好ましくない。また、円弧形切込面１４は、側面部材３の内側面１０における円弧形切込面１４を除いた部分に対して凹んでいるため、棚部材７に載置された陳列物を取り上げる際、陳列物が内側面１０の突出部分に引っ掛かる可能性が有り、側面部の内側が陳列物の出し入れに支障となるおそれがあるという問題があった。
【００１５】
また、特許文献４のものにおいては、左側板３０ａの後辺部は背板１０の左辺部に連結され、右側板３０ｂの後辺部は背板１０の右辺部に連結され、下棚板５１の左辺部は左側板３０ａに連結され、下棚板５１の右辺部は右側板３０ｂに連結されているので、左側板３０ａと右側板３０ｂとが、近接又は離反の動作をする際、左側板３０ａと右側板３０ｂとは、上下方向又は前後方向に位置ずれすることなく、正対した状態を維持したまま動作をする必要がある。例えば、左側板３０ａと右側板３０ｂとが上下方向に位置ずれして重なるためには、背板１０が捩れ変形可能である必要があり、左側板３０ａと右側板３０ｂとが前後方向に位置ずれして重なるためには、下棚板５１が捩れ変形可能である必要がある。つまり、左側板３０ａと右側板３０ｂとは、上下または前後に位置ずれした状態で重なることはできない。よって、背板１０の中央折線１１は、必ず背板１０の左右方向の略中央に位置し、下棚板５１の中央折線５４及び中央折線５５は、必ず下棚板５１の左右方向の略中央に位置しなければならない。つまり、特許文献４のものにおいては、必ず棚板５０の略中心に棚板５０の耐荷重性を弱めてしまう折り部（つまり、中央折線５４、５５）が存在し、特に、特許文献３の図３及び図６に示された棚板５０においては、切り込み５６が設けられており、切り込み５６は荷重を支持することができないので、棚板５０の切り込み５６部分における耐荷重性は折線部分のそれよりさらに低くなる。つまり、特許文献４のものは、耐荷重性について問題があり、そのため耐久性についても問題を有するものであった。
【００１６】
そこで、本発明は、組み立ての簡易性、耐荷重性及び耐久性を兼備し、見栄えがよく、陳列物の出し入れに支障とならない陳列棚を提供することを目的とする。
【課題を解決するための手段】
【００１７】
本発明は上記問題点を解決するために創作されたものであって、第１には、陳列棚であって、シート状のブランクにより形成された本体部で、背面部（３０）と右側面部（４０）と正面部（５０）と左側面部（７０）とを有する筒状部で、正面部が、高さ方向に間隔を介して設けられた複数の正面本体部で、各正面本体部が右側面部と左側面部の間に架設された複数の正面本体部（５２ａ、５２ｂ、５２ｃ）と、該複数の正面本体部のうち最下段の正面本体部以外の正面本体部である特定正面本体部（５２ａ、５２ｂ）の下辺から第１折れ線を介して連設された棚部ユニットで、特定正面本体部の下辺から第１折れ線を介して連設された棚部（５４ａ、５４ｂ）と、棚部の第１折れ線とは反対側の辺部から第２折れ線を介して連設された糊代部（６２ａ、６２ｂ）とを有する棚部ユニット（５３ａ、５３ｂ）とを有する筒状部（２０）と、筒状部の下端の開口を開閉可能な底部（９０）と、を有する本体部（１０）と、シート状のブランクにより形成された板状部で、背面側の面が背面部の内側の面に対向して筒状部内に設けられ、糊代部における正面本体部の内側の面と同じ側の面が板状部の正面側の面に接着された板状部（１１０）と、を有し、特定正面本体部から連設された棚部が、該特定正面本体部から第１折れ線を介して連設された棚部本体（５６ａ、５６ｂ）と、棚部本体の第１折れ線側とは反対側の辺部から連設された第１突状部（５８ａ、６０ａ、５８ｂ、６０ｂ）とを有し、糊代部が、棚部本体の第１折れ線側とは反対側の辺部における第１突状部が形成されていない部位から第２折れ線を介して連設され、板状部には、陳列棚の組立て状態において、棚部の第１突状部が挿入される第１穴部（１１２ａ、１１４ａ、１１２ｂ、１１４ｂ）が形成され、背面部には、陳列棚の組立て状態において、第１穴部に挿入されて第１穴部を貫通した第１突状部が係止する第２穴部（３２ａ、３４ａ、３２ｂ、３４ｂ）が形成され、陳列棚の折畳み状態では、陳列棚の組立て状態に比べて、筒状部における背面部が正面本体部に近づいた状態であり、棚部ユニットが該棚部ユニットが連設された正面本体部から下方に向いた状態であるとともに、底部が筒状部の下端の開口を開いた状態で、板状部の下端が筒状部の下端から下方に突出し、陳列棚を折畳み状態から組立て状態にするには、背面部が正面本体部から遠ざかった状態にして筒状部を四角筒状にし、板状部を筒状部に対して上方に引き上げるとともに、底部が筒状部の下端の開口を閉じた状態とし、陳列棚の組立て状態においては、板状部が背面部と重なり合い、棚部が、正面本体部及び糊代部に対して折曲して、略水平方向となり、板状部の下端が底部に接した状態であり、第１突状部が第１穴部を貫通して第２穴部に係止されることを特徴とする。
【００１８】
第１の構成の陳列棚においては、特定正面部本体から連設された棚部ユニットが板状部に接着されているので、陳列棚の折畳み状態から組立て状態にする際に、板状部を筒状部に対しての上方に引き上げるだけで、各棚部が正面部本体に対して折り曲げられ、組み立てに手間が掛からず、迅速かつ簡単に組み立てることができる。また、組み立てられた状態の板状部の下端が、底部に当接しているので、棚部を支持している板状部が、棚部上に載置された陳列物の荷重により、位置ずれすることがなく、また、荷重を受ける棚部と板状部との連結が、面部同士の固定による強固なものであるので、堅牢な構造を有していて、耐荷重性及び耐久性に優れている。また、陳列物が接触する部分（つまり、棚部の上側の面部と、側面部の内側の面部と、板状部の正面側の面部）、特に、側面部の内側の面部が、平坦面であるので、陳列物の出し入れの際の支障となるおそれがなく、見栄えがよい。また、底部が筒状部の下端の開口を開いた状態とし、板状部を下方に下降させて棚部と糊代部とが上下方向に向いた状態とし、筒状部を折り畳んだ状態とすることにより、陳列棚を扁平状に折り畳むことができる。また、各棚部の第１突状部が板状部の第１穴部を貫通して背面部の第２穴部に係止されているので、各棚部は糊代部による板状部への固定だけでなく、第１突状部と背面部とによっても支持され、より堅牢となり、耐荷重性及び耐久性が向上する。なお、上記第１の構成において、背面部と右側面部と左側面部の各筒状部構成部のいずれかである第１筒状部構成部から連設された糊代部が、該第１筒状部構成部と糊代部側に隣接する筒状部構成部である第２筒状部構成部と接着していることを特徴とするものとしてもよい。
【００１９】
また、第２には、上記第１の構成において、板状部の上端から板状の広告表示部（１２０）が設けられ、陳列棚の組立て状態において、広告表示部の少なくとも一部の領域が背面部の上端よりも上方に突出することを特徴とする。よって、商品の陳列をするとともに、ＰＯＰ広告を表示することができる。
【００２０】
また、第３には、上記第２の構成において、背面部には、その上端に上方に突出して形成された第２突状部（３６）が設けられ、広告表示部は、板状部との境界位置に略コ字状の第１切込み（Ｋ１２４）を形成することにより板状部側に突出した第３突状部（１２４）を有し、板状部と広告表示部間の境界位置には、第１切込みとつながる第３折れ線（Ｃ５０、Ｃ６０）が形成され、広告表示部を板状部に対して第３折れ線を介して正面側に折り曲げた状態で、第２突状部を第１切込みに差し込み、その後、広告表示部を板状部に対して背面側に回動させることにより第２突状部と第３突状部とが係合した状態となることを特徴とする。よって、第２突状部と第３突状部とを係合させることにより、第２突状部が正面側から広告表示部を押さえるので、広告表示部が第３折れ線を介して正面側に倒れるのが防止され、広告表示部の起立状態を維持することができる。また、第２突状部と第３突状部とが係合することにより、板状部の筒状部への固定がより強固となり、耐荷重性及び耐久性がさらに向上する。
【００２１】
また、第４には、陳列棚であって、シート状のブランクにより形成された本体部で、背面部（３０）と右側面部（４０）と正面部（５０）と左側面部（７０）とを有する筒状部で、正面部が、高さ方向に間隔を介して設けられた複数の正面本体部で、各正面本体部が右側面部と左側面部の間に架設された複数の正面本体部（５２ａ、５２ｂ、５２ｃ）と、該複数の正面本体部のうち最下段の正面本体部以外の正面本体部である特定正面本体部（５２ａ、５２ｂ）の下辺から第１折れ線を介して連設された棚部ユニットで、特定正面本体部の下辺から第１折れ線を介して連設された棚部（５４ａ、５４ｂ）と、棚部の第１折れ線とは反対側の辺部から第２折れ線を介して連設された糊代部（６２ａ、６２ｂ）とを有する棚部ユニット（５３ａ、５３ｂ）とを有する筒状部（２０）と、筒状部の下端の開口を開閉可能な底部（９０）と、を有する本体部（１０）と、シート状のブランクにより形成された板状部で、背面側の面が背面部の内側の面に対向して筒状部内に設けられ、糊代部における正面本体部の内側の面と同じ側の面が板状部の正面側の面に接着された板状部（１１０）と、板状部の上端から設けられた板状の広告表示部（１２０）と、を有し、背面部には、その上端に上方に突出して形成された第１突状部（３６）が設けられ、広告表示部は、板状部との境界位置に略コ字状の第１切込み（Ｋ１２４）を形成することにより板状部側に突出した第２突状部（１２４）を有し、板状部と広告表示部間の境界位置には、第１切込みとつながる第３折れ線（Ｃ５０、Ｃ６０）が形成され、陳列棚の折畳み状態では、陳列棚の組立て状態に比べて、筒状部における背面部が正面本体部に近づいた状態であり、棚部ユニットが該棚部ユニットが連設された正面本体部から下方に向いた状態であるとともに、底部が筒状部の下端の開口を開いた状態で、板状部の下端が筒状部の下端から下方に突出し、陳列棚を折畳み状態から組立て状態にするには、背面部が正面本体部から遠ざかった状態にして筒状部を四角筒状にし、板状部を筒状部に対して上方に引き上げるとともに、底部が筒状部の下端の開口を閉じた状態とし、陳列棚の組立て状態においては、板状部が背面部と重なり合い、棚部が、正面本体部及び糊代部に対して折曲して、略水平方向となり、板状部の下端が底部に接した状態であるとともに、広告表示部の少なくとも一部の領域が背面部の上端よりも上方に突出し、広告表示部を板状部に対して第３折れ線を介して正面側に折り曲げた状態で、第１突状部を第１切込みに差し込み、その後、広告表示部を板状部に対して背面側に回動させることにより第１突状部と第２突状部とが係合した状態となることを特徴とする。
【００２２】
第４の構成の陳列棚においては、特定正面部本体から連設された棚部ユニットが板状部に接着されているので、陳列棚の折畳み状態から組立て状態にする際に、板状部を筒状部に対しての上方に引き上げるだけで、各棚部が正面部本体に対して折り曲げられ、組み立てに手間が掛からず、迅速かつ簡単に組み立てることができる。また、組み立てられた状態の板状部の下端が、底部に当接しているので、棚部を支持している板状部が、棚部上に載置された陳列物の荷重により、位置ずれすることがなく、また、荷重を受ける棚部と板状部との連結が、面部同士の固定による強固なものであるので、堅牢な構造を有していて、耐荷重性及び耐久性に優れている。また、陳列物が接触する部分（つまり、棚部の上側の面部と、側面部の内側の面部と、板状部の正面側の面部）、特に、側面部の内側の面部が、平坦面であるので、陳列物の出し入れの際の支障となるおそれがなく、見栄えがよい。また、底部が筒状部の下端の開口を開いた状態とし、板状部を下方に下降させて棚部と糊代部とが上下方向に向いた状態とし、筒状部を折り畳んだ状態とすることにより、陳列棚を扁平状に折り畳むことができる。また、広告表示部が設けられているので、ＰＯＰ広告を表示することができる。また、第１突状部と第２突状部とを係合させることにより、第１突状部が正面側から広告表示部を押さえるので、広告表示部が第３折れ線を介して正面側に倒れるのが防止され、広告表示部の起立状態を維持することができる。また、第１突状部と第２突状部とが係合することにより、板状部の筒状部への固定がより強固となり、耐荷重性及び耐久性がさらに向上する。
【００２３】
また、第５には、上記第１から第４までのいずれかの構成において、板状部には、吊下げ用の部材を挿通するための第３穴部（１１２ｃ、１１４ｃ）が左右両側に設けられ、背面部には、吊下げ用の部材を挿通するための第４穴部（３２ｃ、３４ｃ）が左右両側に設けられ、陳列棚の組立て状態においては、右側の第３穴部と右側の第４穴部とが一致して１つの穴部を形成し、左側の第３穴部と左側の第４穴部とが一致して１つの穴部を形成することを特徴とする。よって、紐状部材等の吊下げ用の部材を第３穴部と第４穴部とから構成される穴部に挿通することにより、陳列棚を吊り下げて使用することができるだけでなく、板状部と背面部とが吊下げ用の部材により連結されているので、板状部の筒状部への固定をより強固とすることができる。
【００２４】
また、第６には、上記第１から第５までのいずれかの構成において、棚部ユニットにおける糊代部の棚部とは反対側の端部には、切欠状又は穴状の第１指掛け部構成部（６４ａ、６４ｂ）が形成され、板状部における第１指掛け部構成部の形成位置には、第１指掛け部構成部と重なった穴状の第２指掛け部構成部（１１６ａ、１１６ｂ）が形成され、第１指掛け部構成部と第２指掛け部構成部とにより指掛け部（Ｇａ、Ｇｂ）が形成されていることを特徴とする。
【００２５】
また、第７には、陳列棚であって、シート状のブランクにより形成された本体部で、背面部（３０）と右側面部（４０）と正面部（５０）と左側面部（７０）とを有する筒状部で、正面部が、高さ方向に間隔を介して設けられた複数の正面本体部で、各正面本体部が右側面部と左側面部の間に架設された複数の正面本体部（５２ａ、５２ｂ、５２ｃ）と、該複数の正面本体部のうち最下段の正面本体部以外の正面本体部である特定正面本体部（５２ａ、５２ｂ）の下辺から第１折れ線を介して連設された棚部ユニットで、特定正面本体部の下辺から第１折れ線を介して連設された棚部（５４ａ、５４ｂ）と、棚部の第１折れ線とは反対側の辺部から第２折れ線を介して連設された糊代部（６２ａ、６２ｂ）とを有する棚部ユニット（５３ａ、５３ｂ）とを有する筒状部（２０）と、筒状部の下端の開口を開閉可能な底部（９０）と、を有する本体部（１０）と、シート状のブランクにより形成された板状部で、背面側の面が背面部の内側の面に対向して筒状部内に設けられ、糊代部における正面本体部の内側の面と同じ側の面が板状部の正面側の面に接着された板状部（１１０）と、を有し、板状部には、吊下げ用の部材を挿通するための第１穴部（１１２ｃ、１１４ｃ）が左右両側に設けられ、背面部には、吊下げ用の部材を挿通するための第２穴部（３２ｃ、３４ｃ）が左右両側に設けられ、陳列棚の折畳み状態では、陳列棚の組立て状態に比べて、筒状部における背面部が正面本体部に近づいた状態であり、棚部ユニットが該棚部ユニットが連設された正面本体部から下方に向いた状態であるとともに、底部が筒状部の下端の開口を開いた状態で、板状部の下端が筒状部の下端から下方に突出し、陳列棚を折畳み状態から組立て状態にするには、背面部が正面本体部から遠ざかった状態にして筒状部を四角筒状にし、板状部を筒状部に対して上方に引き上げるとともに、底部が筒状部の下端の開口を閉じた状態とし、陳列棚の組立て状態においては、板状部が背面部と重なり合い、棚部が、正面本体部及び糊代部に対して折曲して、略水平方向となり、板状部の下端が底部に接した状態であり、右側の第１穴部と右側の第２穴部とが一致して１つの穴部を形成し、左側の第１穴部と左側の第２穴部とが一致して１つの穴部を形成することを特徴とする。
【００２６】
第７の構成の陳列棚においては、特定正面部本体から連設された棚部ユニットが板状部に接着されているので、陳列棚の折畳み状態から組立て状態にする際に、板状部を筒状部に対しての上方に引き上げるだけで、各棚部が正面部本体に対して折り曲げられ、組み立てに手間が掛からず、迅速かつ簡単に組み立てることができる。また、組み立てられた状態の板状部の下端が、底部に当接しているので、棚部を支持している板状部が、棚部上に載置された陳列物の荷重により、位置ずれすることがなく、また、荷重を受ける棚部と板状部との連結が、面部同士の固定による強固なものであるので、堅牢な構造を有していて、耐荷重性及び耐久性に優れている。また、陳列物が接触する部分（つまり、棚部の上側の面部と、側面部の内側の面部と、板状部の正面側の面部）、特に、側面部の内側の面部が、平坦面であるので、陳列物の出し入れの際の支障となるおそれがなく、見栄えがよい。また、底部が筒状部の下端の開口を開いた状態とし、板状部を下方に下降させて棚部と糊代部とが上下方向に向いた状態とし、筒状部を折り畳んだ状態とすることにより、陳列棚を扁平状に折り畳むことができる。また、紐状部材等の吊下げ用の部材を第１穴部と第２穴部とから構成される穴部に挿通することにより、陳列棚を吊り下げて使用することができるだけでなく、板状部と背面部とが吊下げ用の部材により連結されているので、板状部の筒状部への固定をより強固とすることができる。
【００２７】
また、第８には、陳列棚であって、シート状のブランクにより形成された本体部で、背面部（３０）と右側面部（４０）と正面部（５０）と左側面部（７０）とを有する筒状部で、正面部が、高さ方向に間隔を介して設けられた複数の正面本体部で、各正面本体部が右側面部と左側面部の間に架設された複数の正面本体部（５２ａ、５２ｂ、５２ｃ）と、該複数の正面本体部のうち最下段の正面本体部以外の正面本体部である特定正面本体部（５２ａ、５２ｂ）の下辺から第１折れ線を介して連設された棚部ユニットで、特定正面本体部の下辺から第１折れ線を介して連設された棚部（５４ａ、５４ｂ）と、棚部の第１折れ線とは反対側の辺部から第２折れ線を介して連設された糊代部（６２ａ、６２ｂ）とを有する棚部ユニット（５３ａ、５３ｂ）とを有する筒状部（２０）と、筒状部の下端の開口を開閉可能な底部（９０）と、を有する本体部（１０）と、シート状のブランクにより形成された板状部で、背面側の面が背面部の内側の面に対向して筒状部内に設けられ、糊代部における正面本体部の内側の面と同じ側の面が板状部の正面側の面に接着された板状部（１１０）と、を有し、棚部ユニットにおける糊代部の棚部とは反対側の端部には、切欠状又は穴状の第１指掛け部構成部（６４ａ、６４ｂ）が形成され、板状部における第１指掛け部構成部の形成位置には、第１指掛け部構成部と重なった穴状の第２指掛け部構成部（１１６ａ、１１６ｂ）が形成され、第１指掛け部構成部と第２指掛け部構成部とにより指掛け部（Ｇａ、Ｇｂ）が形成され、陳列棚の折畳み状態では、陳列棚の組立て状態に比べて、筒状部における背面部が正面本体部に近づいた状態であり、棚部ユニットが該棚部ユニットが連設された正面本体部から下方に向いた状態であるとともに、底部が筒状部の下端の開口を開いた状態で、板状部の下端が筒状部の下端から下方に突出し、陳列棚を折畳み状態から組立て状態にするには、背面部が正面本体部から遠ざかった状態にして筒状部を四角筒状にし、板状部を筒状部に対して上方に引き上げるとともに、底部が筒状部の下端の開口を閉じた状態とし、陳列棚の組立て状態においては、板状部が背面部と重なり合い、棚部が、正面本体部及び糊代部に対して折曲して、略水平方向となり、板状部の下端が底部に接した状態であることを特徴とする。
【００２８】
第８の構成の陳列棚においては、特定正面部本体から連設された棚部ユニットが板状部に接着されているので、陳列棚の折畳み状態から組立て状態にする際に、板状部を筒状部に対しての上方に引き上げるだけで、各棚部が正面部本体に対して折り曲げられ、組み立てに手間が掛からず、迅速かつ簡単に組み立てることができる。また、組み立てられた状態の板状部の下端が、底部に当接しているので、棚部を支持している板状部が、棚部上に載置された陳列物の荷重により、位置ずれすることがなく、また、荷重を受ける棚部と板状部との連結が、面部同士の固定による強固なものであるので、堅牢な構造を有していて、耐荷重性及び耐久性に優れている。また、陳列物が接触する部分（つまり、棚部の上側の面部と、側面部の内側の面部と、板状部の正面側の面部）、特に、側面部の内側の面部が、平坦面であるので、陳列物の出し入れの際の支障となるおそれがなく、見栄えがよい。また、底部が筒状部の下端の開口を開いた状態とし、板状部を下方に下降させて棚部と糊代部とが上下方向に向いた状態とし、筒状部を折り畳んだ状態とすることにより、陳列棚を扁平状に折り畳むことができる。また、指掛け部に指を掛けることにより板状部を上方に移動させたり、下方に移動させるのに使用することができ、特に、陳列棚を組み立てる際に、板状部を上方に引き上げる操作を容易とすることができる。また、指掛け部に加えた力が糊代部と棚部との両方に具合よく伝達されて、糊代部と板状部のどちらか一方に偏らないので、糊代部が板状部から剥離し難く、耐久性がさらに向上する。
【００２９】
また、第９には、上記第１から第８までのいずれかの構成において、底部が、背面部の下辺から折れ線を介して連設された背面側底形成部（９２）と、右側面部の下辺から折れ線を介して連設された右側面側底形成部（９４）と、正面部の下辺から折れ線を介して連設された正面側底形成部（９６）と、左側面部の下辺から折れ線を介して連設された左側面側底形成部（９８）とを有し、背面側底形成部と右側面側底形成部と正面側底形成部と左側面側底形成部とを組み合わせることにより、底部が筒状部の下端の開口を閉じた状態とすることを特徴とする。
【００３０】
また、上記第１から第５までのいずれか又は第７又は第９の構成において、「右側面部における正面側の端部領域で、正面部において間隔を介して上下方向に隣接する２つの正面本体部の間の領域と上下方向に対応する領域に切欠部（４２、４４）が形成され、左側面部における正面側の端部領域で、正面部において間隔を介して上下方向に隣接する２つの正面本体部の間の領域と上下方向に対応する領域に切欠部（７２、７４）が形成されていることを特徴とする。」としてもよい。よって、陳列物の棚部及び底部への出し入れが容易であり、また、切欠部の形状を適宜選択又は創作することにより、陳列棚の美観の向上を図ることができる。
【発明の効果】
【００３１】
本発明に基づく陳列棚によれば、特定正面部本体から連設された棚部ユニットが板状部に接着されているので、陳列棚の折畳み状態から組立て状態にする際に、板状部を筒状部に対しての上方に引き上げるだけで、各棚部が正面部本体に対して折り曲げられ、組み立てに手間が掛からず、迅速かつ簡単に組み立てることができる。また、組み立てられた状態の板状部の下端が、底部に当接しているので、棚部を支持している板状部が、棚部上に載置された陳列物の荷重により、位置ずれすることがなく、また、荷重を受ける棚部と板状部との連結が、面部同士の固定による強固なものであるので、堅牢な構造を有していて、耐荷重性及び耐久性に優れている。また、陳列物が接触する部分（つまり、棚部の上側の面部と、側面部の内側の面部と、板状部の正面側の面部）、特に、側面部の内側の面部が、平坦面であるので、陳列物の出し入れの際の支障となるおそれがなく、見栄えがよい。
【００３２】
また、底部が筒状部の下端の開口を開いた状態とし、板状部を下方に下降させて棚部と糊代部とが上下方向に向いた状態とし、筒状部を折り畳んだ状態とすることにより、陳列棚を扁平状に折り畳むことができる。
【図面の簡単な説明】
【００３３】
【図１】陳列棚の前方斜視図である。
【図２】陳列棚の後方斜視図である。
【図３】陳列棚の分解斜視図である。
【図４】陳列棚の正面図である。
【図５】陳列棚の背面図である。
【図６】図４におけるＡ−Ａ断面図である。
【図７】陳列棚の底面図である。
【図８】本体部の展開図である。
【図９】展開状態の本体部の要部拡大図である。
【図１０】板状部の正面図である。
【図１１】板状部の要部拡大図である。
【図１２】陳列棚の折り畳まれた状態を示す斜視図である。
【図１３】陳列棚の組み立て手順を示す斜視図である。
【図１４】陳列棚の組み立て手順を示す斜視図である。
【図１５】陳列棚の組み立て手順を示す斜視図である。
【発明を実施するための形態】
【００３４】
本発明においては、組み立ての簡易性、耐荷重性及び耐久性を兼備し、見栄えがよく、陳列物の出し入れに支障とならない陳列棚を提供するという目的を以下のようにして実現した。
【００３５】
本発明に基づく陳列棚５は、図１〜図１５に示すように構成され、本体部１０と、本体部に取り付けられた板状ユニット１００とを有していて（特に、図３を参照）、それぞれが１枚のシート状のブランク（具体的には、段ボール材）により形成されている。
【００３６】
ここで、本体部１０は、筒状部２０と、筒状部２０の下端から連設された底部９０とを有している。筒状部２０は、背面部３０と、側面部４０（右側面部）と、正面部５０と、側面部７０（左側面部）と、糊代部８０とを有し（特に、図８を参照）、背面部３０、側面部４０、正面部５０、側面部７０、糊代部８０の順に連設され、糊代部８０が背面部３０の内側面に接着されていて、筒状部２０の全体は、四角筒形状を呈している。ここで、背面部３０と側面部４０と正面部５０と側面部７０とはそれぞれ筒状部構成部となる。
【００３７】
また、板状ユニット１００は、縦長の略長方形状の板状を呈していて、筒状部２０の内側に挿入され、正面部５０の内側の面部と板状ユニット１００の正面側の面部とが、互いに略平行（平行としてもよい）に対向しているとともに、板状ユニット１００の背面側の面部と背面部３０の内側の面部とが、互いに略平行（平行としてもよい）に対向していて、陳列棚の使用状態に組み立てられた状態（以下「陳列棚の組立て状態」とする）（例えば、図１、図２、図４、図５に示されている状態）においては、板状ユニット１００の背面側の面部と背面部３０の内側の面部とが重合され（つまり、重なり合った状態となり）、板状ユニット１００の下端は底部９０に当接している（特に、図６を参照）。
【００３８】
ここで、背面部３０は、縦長の略長方形状の板状を呈し、陳列棚の組立て状態では、陳列棚５が載置される略水平な設置面に対して略直角をなし、穴部３２ａ、３４ａ、３２ｂ、３４ｂ（第２穴部）と、穴部３２ｃ、３４ｃ（第４穴部）と、突状部３６（第２突状部）と、突状部３８ａ、３８ｂ（第４突状部）とを有している。
【００３９】
穴部３２ａは、横長の略長方形状を呈し、背面部３０の上部側における左側（つまり、側面部７０側。以下、前後左右上下については、陳列棚の組立て状態で正面側から視認した際の前後左右上下を指す。）の位置に形成され、陳列棚の組立て状態に組み立てる際、略水平（水平としてもよい）の状態にされた棚部本体５６ａの後端から後方（背面部３０側）に突出した状態の突状部５８ａ（特に、図１、図３を参照）が、後説する板状ユニット１００の穴部１１２ａ（第１穴部）に挿入され、穴部１１２ａを貫通して背面側に突出した突状部５８ａの先端部が、この穴部３２ａに挿入されて係止されている（特に、図５を参照。なお、棚部本体５６ａ及び突状部５８ａの詳細については後説する）。つまり、背面部３０において、穴部３２ａは、陳列棚の組立て状態で板状ユニット１００の穴部１１２ａと対向する位置に設けられている。
【００４０】
なお、穴部３２ａには、その左下側の角部から下方に向けて短く伸びる切込みＫ３２１と、右下側の角部から下方に向けて短く伸びる切込みＫ３２２とが形成され、この切込みＫ３２１と切込みＫ３２２とにより、背面部３０における穴部３２ａの下側の部分が撓み易くなって、突状部５８ａの穴部３２ａへの挿入が容易となる。
【００４１】
穴部３４ａは、穴部３２ａと左右方向の形成位置が異なる以外は穴部３２ａと同様に構成されている。すなわち、穴部３４ａは、横長の略長方形状を呈し、背面部３０の上部側における右側（側面部４０側）の位置に形成され、組み立てられて、略水平（水平としてもよい）の状態にされた棚部本体５６ａの後端から後方（背面部３０側）に突出した状態の突状部６０ａ（特に、図１、図３を参照）が、後説する板状ユニット１００の穴部１１４ａに挿入され、穴部１１４ａを貫通して後方に突出した突状部６０ａの先端部が、この穴部３４ａに挿入されて係止されている（特に、図５を参照。突状部６０ａの詳細については後説する）。つまり、背面部３０において、穴部３４ａは、陳列棚の組立て状態で板状ユニット１００の穴部１１４ａに対向する位置に設けられている。また、穴部３４ａは、背面部３０において、穴部３２ａと上下方向に同じ位置に形成されている。
【００４２】
なお、穴部３４ａには、その左下側の角部から下方に向けて短く伸びる切込みＫ３４１と、右下側の角部から下方に向けて短く伸びる切込みＫ３４２とが形成され、この切込みＫ３４１と切込みＫ３４２とにより、背面部３０における穴部３４ａの下側の部分が撓み易くなって、突状部６０ａの穴部３４ａへの挿入が容易となる。また、穴部３２ａと穴部３４ａとは、左右方向において対称位置に設けられ、穴部３２ａの左端と背面部３０の左辺間の長さと穴部３４ａの右端と背面部３０の右辺間の長さとは、同一（略同一としてもよい）に形成されている。
【００４３】
穴部３２ｂは、穴部３２ａと上下方向の形成位置が異なる以外は穴部３２ａと同様に構成されている。すなわち、穴部３２ｂは、横長の略長方形状を呈し、背面部３０の高さ方向の中央よりもやや下側寄りにおける左側（側面部７０側）の位置に形成され、組み立てられて、略水平（水平としてもよい）の状態にされた棚部本体５６ｂの後端から後方（背面部３０側）に突出した状態の突状部５８ｂ（特に、図１、図３を参照）が、後説する板状ユニット１００の穴部１１２ｂに挿入され、穴部１１２ｂを貫通して後方に突出した突状部５８ｂの先端部が、この穴部３２ｂに挿入されて係止されている（特に、図５を参照。なお、棚部本体５６ｂ及び突状部５８ｂの詳細については後説する）。つまり、背面部３０において、穴部３２ｂは、陳列棚の組立て状態で板状ユニット１００の穴部１１２ｂに対向する位置に設けられている。
【００４４】
なお、穴部３２ｂには、その左下側の角部から下方に向けて短く伸びる切込みＬ３２１と、右下側の角部から下方に向けて短く伸びる切込みＬ３２２とが形成され、この切込みＬ３２１と切込みＬ３２２とにより、背面部３０における穴部３２ｂの下側の部分が撓み易くなって、突状部５８ｂの穴部３２ｂへの挿入が容易となる。
【００４５】
穴部３４ｂは、穴部３２ｂと左右方向の形成位置が異なる以外は、穴部３２ｂと同様に構成されている。すなわち、穴部３４ｂは、横長の略長方形状を呈し、背面部３０の高さ方向の中央よりもやや下側寄りにおける右側（側面部４０側）の位置に形成され、組み立てられて、略水平（水平としてもよい）の状態にされた棚部本体５６ｂの後端から後方（背面部３０側）に突出した状態の突状部６０ｂ（特に、図１、図３を参照）が、後説する板状ユニット１００の穴部１１４ｂ（第１穴部）に挿入され、穴部１１４ｂを貫通して後方に突出した突状部６０ｂの先端部が、この穴部３４ｂに挿入されて係止されている（特に、図５を参照。なお、突状部６０ｂの詳細については後説する）。つまり、背面部３０において、穴部３４ｂは、陳列棚の組立て状態で板状ユニット１００の穴部１１４ｂに対向する位置に設けられている。また、穴部３４ｂは、背面部３０において、穴部３４ｂは、背面部３０において、穴部３２ｂと同じ高さ位置に形成され、また、左右方向には、穴部３４ａと同じ位置に形成されている。
【００４６】
なお、穴部３４ｂには、その左下側の角部から下方に向けて短く伸びる切込みＬ３４１と、右下側の角部から下方に向けて短く伸びる切込みＬ３４２とが形成され、この切込みＬ３４１と切込みＬ３４１とにより、背面部３０における穴部３４ｂの下側の部分が撓み易くなって、突状部６０ｂの穴部３４ｂへの挿入が容易となる。
【００４７】
穴部３２ｃは、横長の略長方形状を呈し、上記穴部３２ａよりも上側で左側（側面部７０側）の位置に形成されている。この穴部３２ｃは、後説する板状ユニット１００の板状部１１０における上部左側に設けられた穴部１１２ｃと重合され、穴部３２ｃと穴部１１２ｃとにより１つの穴部が形成され、この穴部が、陳列棚５を吊り下げた状態で使用する場合に、吊下げ用の部材を挿通するための吊下げ用穴部Ｆａとなる（図３を参照）。ここで、吊下げ用の部材としては、ワイヤー、紐等の紐状部材や、フック状部材（例えば、略Ｓ字状のフック状部材）が挙げられる。
【００４８】
穴部３４ｃは、横長の略長方形状を呈し、上記穴部３４ａよりも上側で右側（側面部４０側）の位置に形成されている。この穴部３４ｃは、後説する板状ユニット１００の板状部１１０における上部右側に設けられた穴部１１４ｃと重合され、穴部３４ｃと穴部１１４ｃとにより、陳列棚５を吊り下げた状態で使用する場合に、吊下げ用の部材を挿通するための吊下げ用穴部Ｆｂが形成されている（図３を参照）。
【００４９】
また、陳列棚５を吊り下げた際の姿勢の平衡を保ち易くするために、穴部３２ｃと穴部３４ｃとは、背面部３０において同じ高さ位置に形成され、また、穴部３２ｃと穴部３４ｃとは、左右方向において対称位置に設けられ、穴部３２ｃの左端と背面部３０の左辺間の長さと穴部３４ｃの右端と背面部３０の右辺間の長さとは、同一に形成されている。
【００５０】
突状部３６は、横長の略長方形状の板状を呈し、背面部３０の上端側における幅方向の略中央から上方に突出していて、陳列棚の組立て状態では、板状ユニット１００の切込みＫ１２４（第１切込み）に挿入され、この突状部３６により、板状ユニット１００の広告表示部１２０の突状部１２４が係止されて、広告表示部１２０の起立状態が維持されている。
【００５１】
突状部３８ａは、横長の略長方形状の板状を呈し、背面部３０の上端側の左側の端部から上方に突出し、また、突状部３８ｂは、横長の略長方形状の板状を呈し、背面部３０の上端側の右側の端部から上方に突出していて、突状部３８ａと突状部３８ｂとにより、広告表示部１２０の下端部が後方から支持され、上記の突状部３６と突状部１２４とによる広告表示部１２０の起立状態維持が補助されている。
【００５２】
側面部４０は、背面部３０の右側の辺部から折れ線を介して連設され、縦長の略長方形状の前部側の辺部に２つの切欠部（切欠部４２と切欠部４４）が形成された形状の板状を呈している。つまり、切欠部４２と切欠部４４とが、高さ方向に間隔を介して形成された形状の板状を呈していて、陳列棚の組立て状態において、背面部３０に対して略直角（直角としてもよい）をなし、側面部７０に対して略平行（平行としてもよい）に対向している。
【００５３】
切欠部４２は、側面部４０の上部側に形成され、等脚台形形状（具体的には、台形の脚が上下に位置して、短い上底が後部側に位置し、上底に平行で上底の長さよりも長い下底が前部側に位置している等脚台形形状）を呈している。また、切欠部４４は、側面部４０の下部側に形成され、等脚台形形状（具体的には、台形の脚が上下に位置して、短い上底が側面部４０の後部側に位置し、上底に平行で上底の長さよりも長い下底が側面部４０の前部側に位置している等脚台形形状）を呈している。
【００５４】
次に、正面部５０は、側面部４０の前側の辺部から折れ線を介して連設され、複数の正面本体部５２ａ、５２ｂ、５２ｃと、複数の棚部５４ａ、５４ｂと、複数の糊代部６２ａ、６２ｂとを有している。また、各正面本体部５２ａ、５２ｂ、５２ｃは、正面部５０の高さ方向に間隔を介して配設され、側面部４０の前側（正面側）の辺部と側面部７０の前側（正面側）の辺部との間に架設されていてる。つまり、正面本体部５２ａ、５２ｂ、５２ｃは、側面部４０の正面側の辺部と折れ線を介して連設されるとともに、側面部７０の正面側の辺部と折れ線を介して連設されている。なお、複数の正面本体部５２ａ、５２ｂ、５２ｃのうち最下段の正面本体部５２ｃ以外の正面本体部５２ａ、５２ｂが「特定正面本体部」となる。
【００５５】
最上段に位置する正面本体部５２ａ（非最下段正面本体部）は、側面部４０の前側（正面側としてもよい）の辺部における切欠部４２よりも上側の位置及び側面部７０の前側の辺部における切欠部７２よりも上側の位置から連設され、横長の略長方形状の上側の辺部から等脚台形形状（具体的には、台形の脚が左右に位置して、短い上底が下部側に位置し、上底に平行で上底の長さよりも長い下底が上部側に位置している等脚台形形状）が切り欠かれた形状の板状を呈している。
【００５６】
正面本体部５２ａの上側の辺部は、正面部５０の上側の辺部でもあり、正面本体部５２ａの下側の辺部は、幅方向に略水平（水平としてもよい）に伸びる直線形状を呈し、正面本体部５２ａの下側の辺部の右側の端部は、側面部４０の切欠部４２の上端部に接していて、正面本体部５２ａの下側の辺部の左側の端部は、側面部７０の切欠部７２の上端部に接している。この正面本体部５２ａは、陳列棚の組立て状態において、側面部４０及び側面部７０に対して略直角（直角としてもよい）をなし、背面部３０に対して略平行（平行としてもよい）に対向している。
【００５７】
棚部５４ａは、正面本体部５２ａの下側の辺部から折れ線Ｃ１０ａ（第１折れ線）を介して連設され、糊代部６２ａは、棚部５４ａの下側の辺部から連設され、棚部５４ａと糊代部６２ａとの境界位置には、２つの切込み（切込みＫ５８と切込みＫ６０）が、棚部５４ａの幅方向に間隔を介して形成され、切込みＫ５８が左側に位置し、切込みＫ６０が右側に位置していて、棚部５４ａと糊代部６２ａとの境界位置における切込みＫ５８と切込みＫ６０とを除く位置には、折れ線が形成されている。つまり、棚部５４ａの左側の端部と切込みＫ５８との間の位置には、折れ線Ｃ２０ａ（第２折れ線）が形成され、切込みＫ５８と切込みＫ６０との間の位置には、折れ線Ｃ３０ａ（第２折れ線）が形成され、切込みＫ６０と棚部５４ａの右側の端部との間の位置には、折れ線Ｃ４０ａ（第２折れ線）が形成され、折れ線Ｃ２０ａと折れ線Ｃ３０ａと折れ線Ｃ４０ａとは、同一直線上に位置しているとともに、折れ線Ｃ１０ａに対して平行（略平行としてもよい）に対向している。
【００５８】
また、切込みＫ５８と切込みＫ６０とは、棚部５４ａ側から糊代部６２ａ側に突出する略コ字状を呈している。
【００５９】
つまり、切込みＫ５８は、切込みＫ５８１と、切込みＫ５８２と、切込みＫ５８３とを有し、切込みＫ５８１は、折れ線Ｃ２０ａの右側の端部から糊代部６２ａ側に伸びていて、折れ線Ｃ２０ａに対して略直角をなし、切込みＫ５８２は、折れ線Ｃ３０ａの左側の端部から糊代部６２ａ側に伸びていて、折れ線Ｃ３０ａに対して略直角をなし、切込みＫ５８３は、切込みＫ５８１の糊代部６２ａ側の端部と切込みＫ５８２の糊代部６２ａ側の端部との間に形成されている。
【００６０】
また、切込みＫ６０は、切込みＫ６０１と、切込みＫ６０２と、切込みＫ６０３とを有し、切込みＫ６０１は、折れ線Ｃ４０ａの左側の端部から糊代部６２ａ側に伸びていて、折れ線Ｃ４０ａに対して略直角をなし、切込みＫ６０２は、折れ線Ｃ３０ａの右側の端部から糊代部６２ａ側に伸びていて、折れ線Ｃ３０ａに対して略直角をなし、切込みＫ６０３は、切込みＫ６０１の糊代部６２ａ側の端部と切込みＫ６０２の糊代部６２ａ側の端部との間に形成されている。
【００６１】
つまり、棚部５４ａは、棚部本体５６ａと、切込みＫ５８１と切込みＫ５８２との間の領域である突状部５８ａ（第１突状部）と、切込みＫ６０１と切込みＫ６０２との間の領域である突状部６０ａ（第１突状部）とを有している。
【００６２】
つまり、棚部本体５６ａは、正面本体部５２ａの下側の辺部から折れ線Ｃ１０ａを介して連設され、横長の略長方形状の板状を呈していて、突状部５８ａは、棚部本体５６ａの下側の辺部における左側の位置から連設され、横長の略長方形状の板状を呈していて、突状部６０ａは、棚部本体５６ａの下側の辺部における右側の位置から連設され、横長の略長方形状の板状を呈している。
【００６３】
この棚部本体５６ａは、陳列棚の組立て状態においては、折れ線Ｃ１０ａを介して、正面本体部５２ａに対して背面部３０側に略直角（直角としてもよい）に折り曲げられ、つまり、略水平（水平としてもよい）の状態とされ、突状部５８ａは、棚部本体５６ａの後側（背面部３０側）の辺部から後方に突出していて、板状ユニット１００の穴部１１２ａに挿入され、穴部１１２ａを貫通して後方に突出した突状部５８ａの先端部が、背面部３０の穴部３２ａに挿入されて係止されている（特に、図１、図３、図５を参照）。つまり、突状部５８ａは、陳列棚の組立て状態で板状ユニット１００の穴部１１２ａに対向する位置に設けられている。
【００６４】
また、突状部６０ａは、陳列棚の組立て状態においては、棚部本体５６ａの後側（背面部３０側）の辺部から後方に突出していて、板状ユニット１００の穴部１１４ａに挿入され、穴部１１４ａを貫通して後方に突出した突状部６０ａの先端部が、背面部３０の穴部３４ａに挿入されて係止されている（特に、図１、図３、図５を参照）。つまり、突状部６０ａは、陳列棚の組立て状態で板状ユニット１００の穴部１１４ａに対向する位置に設けられている。
【００６５】
糊代部６２ａは、棚部本体５６ａの下側の辺部における突状部５８ａと突状部６０ａとが形成されていない部位から、折れ線Ｃ２０ａと折れ線Ｃ３０ａと折れ線Ｃ４０ａとを介して連設され、横長の略長方形状の下側の辺部から、等脚台形形状（具体的には、台形の脚が左右に位置して、短い上底が下部側に位置し、上底に平行で上底の長さよりも長い下底が上部側に位置している等脚台形形状）が連設された形状の板状を呈している。
【００６６】
この糊代部６２ａには、その先端側の辺部の略中央部が半円形（具体的には、弦が下部側に位置し、弧が上部側に位置している半円形）に切り欠かれて形成された（つまり、切欠状の）指掛け部構成部６４ａ（第１指掛け部構成部、指掛け用切欠部）が設けられている。
【００６７】
また、糊代部６２ａは、板状ユニット１００の板状部１１０に固定されている。つまり、糊代部６２ａの内側の面部における一部分（図８、図９にハッチングにより示された部分）と、板状ユニット１００の正面側の面部における穴部１１２ａ及び穴部１１４ａの下部（図１０にハッチングにより示された部分）とが接着され、上記の指掛け部構成部６４ａと、板状部１１０の上部側に設けられた指掛け部構成部１１６ａとが重合されている。つまり、指掛け部構成部６４ａと指掛け部構成部１１６ａとを重合することにより、陳列棚５を組み立てる際に指を掛けるための指掛け部Ｇａが形成されている（図３、図４を参照）。
【００６８】
中段に位置する正面本体部５２ｂ（非最下段正面本体部）は、側面部４０の前側の辺部における切欠部４２と切欠部４４との間の位置及び側面部７０の前側の辺部における切欠部７２と切欠部７４との間の位置から連設され、横長の略長方形状の上側の辺部から等脚台形形状（具体的には、台形の脚が左右に位置して、上底が下部側に位置し、上底に平行で上底の長さよりも長い下底が上部側に位置している等脚台形形状）が切り欠かれた形状の板状を呈している。
【００６９】
正面本体部５２ｂの上側の辺部は、切込みＫ６２を介して、上記糊代部６２ａの下側の辺部と隣接している。また、正面本体部５２ｂの上側の辺部の右側の端部は、側面部４０の切欠部４２の下端部に接していて、正面本体部５２ｂの上側の辺部の左側の端部は、側面部７０の切欠部７２の下端部に接し、また、正面本体部５２ｂの下側の辺部は、幅方向に略水平（水平としてもよい）に伸びる直線形状を呈していて、正面本体部５２ｂの下側の辺部の右側の端部は、側面部４０の切欠部４４の上端部に接していて、正面本体部５２ｂの下側の辺部の左側の端部は、側面部７０の切欠部７４の上端部に接している。この正面本体部５２ｂは、陳列棚の組立て状態において、側面部４０及び側面部７０に対して略直角（直角としてもよい）をなし、背面部３０に対して平行（略平行としてもよい）に対向している。
【００７０】
棚部５４ｂは、棚部５４ａと同様に構成され、糊代部６２ｂは、糊代部６２ａと同様に構成されている。すなわち、棚部５４ｂは、正面本体部５２ｂの下側の辺部から折れ線Ｃ１０ｂ（第１折れ線）を介して連設され、糊代部６２ｂは、棚部５４ｂの下側の辺部から連設され、棚部５４ｂと糊代部６２ｂとの境界位置には、２つの切込み（切込み５８Ｌと切込み６０Ｌ）が、棚部５４ｂの幅方向に間隔を介して形成され、切込みＬ５８が左側に位置し、切込みＬ６０が右側に位置していて、棚部５４ｂと糊代部６２ｂとの境界位置における切込みＬ５８と切込みＬ６０とを除く位置には、折れ線が形成されている。つまり、棚部５４ｂの左側の端部と切込みＬ５８との間の位置には、折れ線Ｃ２０ｂ（第２折れ線）が形成され、切込みＬ５８と切込みＬ６０との間の位置には、折れ線Ｃ３０ｂ（第２折れ線）が形成され、切込み６０Ｌと棚部５４ｂの右側の端部との間の位置には、折れ線Ｃ４０ｂ（第２折れ線）が形成され、折れ線Ｃ２０ｂと折れ線Ｃ３０ｂと折れ線Ｃ４０ｂとは、同一直線上に位置しているとともに、折れ線Ｃ１０ｂに対して略平行（平行としてもよい）に対向している。
【００７１】
また、切込みＬ５８と切込みＬ６０とは、棚部５４ｂ側から糊代部６２ｂ側に突出する略コ字状を呈している。
【００７２】
つまり、切込みＬ５８は、切込みＬ５８１と、切込みＬ５８２と、切込みＬ５８３とを有し、切込みＬ５８１は、折れ線Ｃ２０ｂの右側の端部から糊代部６２ｂ側に伸びていて、折れ線Ｃ２０ｂに対して略直角をなし、切込みＬ５８２は、折れ線Ｃ３０ｂの左側の端部から糊代部６２ｂ側に伸びていて、折れ線Ｃ３０ｂに対して略直角をなし、切込みＬ５８３は、切込みＬ５８１の糊代部６２ｂ側の端部と切込みＬ５８２の糊代部６２ｂ側の端部との間に形成されている。
【００７３】
また、切込みＬ６０は、切込みＬ６０１と、切込みＬ６０２と、切込みＬ６０３とを有し、切込みＬ６０１は、折れ線Ｃ４０ｂの左側の端部から糊代部６２ｂ側に伸びていて、折れ線Ｃ４０ｂに対して略直角をなし、切込みＬ６０２は、折れ線Ｃ３０ｂの右側の端部から糊代部６２ｂ側に伸びていて、折れ線Ｃ３０ｂに対して略直角をなし、切込みＬ６０３は、切込みＬ６０１の糊代部６２ｂ側の端部と切込みＬ６０２の糊代部６２ｂ側の端部との間に形成されている。
【００７４】
つまり、棚部５４ｂは、棚部本体５６ｂと、切込みＬ５８１と切込みＬ５８２との間の領域である突状部５８ｂ（第１突状部）と、切込みＬ６０１と切込みＬ６０２との間の領域である突状部６０ｂ（第１突状部）とを有している。
【００７５】
つまり、棚部本体５６ｂは、正面本体部５２ｂの下側の辺部から折れ線を介して連設され、横長の略長方形状の板状を呈していて、突状部５８ｂは、棚部本体５６ｂの下側の辺部における左側の位置から連設され、横長の略長方形状の板状を呈していて、突状部６０ｂは、棚部本体５６ｂの下側の辺部における右側の位置から連設され、横長の略長方形状の板状を呈している。
【００７６】
この棚部本体５６ｂは、陳列棚の組立て状態においては、折れ線Ｃ１０ｂを介して、正面本体部５２ｂに対して背面部３０側に略直角（直角としてもよい）に折り曲げられ、つまり、略水平（水平としてもよい）の状態とされ、突状部５８ｂは、棚部本体５６ｂの後側（背面部３０側）の辺部から後方に突出していて、板状ユニット１００の穴部１１２ｂに挿入され、穴部１１２ｂを貫通して後方に突出した突状部５８ｂの先端部が、背面部３０の穴部３２ｂに挿入されて係止されている（特に、図１、図３、図５を参照）。つまり、突状部５８ｂは、陳列棚の組立て状態で板状ユニット１００の穴部１１２ｂに対向する位置に設けられている。
【００７７】
また、突状部６０ｂは、陳列棚の組立て状態においては、棚部本体５６ｂの後側（背面部３０側）の辺部から後方に突出していて、板状ユニット１００の穴部１１４ｂに挿入され、穴部１１４ｂを貫通して後方に突出した突状部６０ｂの先端部が、背面部３０の穴部３４ｂに挿入されて係止されている（特に、図１、図３、図５を参照）。つまり、突状部６０ｂは、陳列棚の組立て状態で板状ユニット１００の穴部１１４ｂに対向する位置に設けられている。
【００７８】
糊代部６２ｂは、棚部本体５６ｂの下側の辺部における突状部５８bと突状部６０bとが形成されていない部位から、折れ線Ｃ２０ｂと折れ線Ｃ３０ｂと折れ線Ｃ４０ｂとを介して連設され、横長の略長方形状の下側の辺部から、等脚台形形状（具体的には、台形の脚が左右に位置して、短い上底が下部側に位置し、上底に平行で上底の長さよりも長い下底が上部側に位置している等脚台形形状）が連設された形状の板状を呈している。
【００７９】
この糊代部６２ｂには、その下側の辺部の略中央部が半円形（具体的には、弦が下部側に位置し、弧が上部側に位置している半円形）に切り欠かれて形成された（つまり、切欠状の）指掛け部構成部６４ｂ（第１指掛け部構成部、指掛け用切欠部）が設けられている。
【００８０】
また、糊代部６２ｂは、板状ユニット１００の板状部１１０に固定されている。つまり、糊代部６２ｂの内側の面部における一部分（図８、図９にハッチングにより示された部分）と、板状ユニット１００の正面における穴部１１２ｂ及び穴部１１４ｂの下部（図１０にハッチングにより示された部分）とが接着され、上記の指掛け部構成部６４ｂと、板状部１１０の下部側に設けられた指掛け部構成部１１６ｂ（図３を参照）とが重合されている。つまり、指掛け部構成部６４ｂと指掛け部構成部１１６ｂとを重合することにより、陳列棚５を組み立てる際に指を掛けるための指掛け部Ｇｂが形成されている（図３、図４を参照）。
【００８１】
最下段に位置する正面本体部５２ｃ（最下段正面本体部）は、側面部４０の前側の辺部における切欠部４４よりも下部側の位置から連設され、横長の略長方形状の上側の辺部から等脚台形形状（具体的には、台形の脚が左右に位置して、短い上底が下部側に位置し、上底に平行で上底の長さよりも長い下底が上部側に位置している等脚台形形状）が切り欠かれた形状の板状を呈している。
【００８２】
つまり、正面本体部５２ｃの上側の辺部は、切込みＬ６２を介して、上記糊代部６２ｂの下側の辺部と隣接していて、正面本体部５２ｃの上側の辺部の右側の端部は、側面部４０の切欠部４４の下端部に接していて、正面本体部５２ｃの上側の辺部の左側の端部は、側面部７０の切欠部７４の下端部に接している。また、正面本体部５２ｃの下側の辺部は、正面部５０の下側の辺部でもあり、幅方向に略水平（水平としてもよい）に伸びる直線形状を呈している。この正面本体部５２ｃは、陳列棚の組立て状態において、側面部４０及び側面部７０に対して略直角（直角としてもよい）をなし、背面部３０に対して略平行（平行としてもよい）に対向している。
【００８３】
なお、指掛け部構成部６４ａ、６４ｂは切欠状であるとしたが、穴状に形成してもよい。
【００８４】
また、棚部５４ａと糊代部６２ａとで、棚部ユニット５３ａ（図８参照）が構成され、棚部５４ｂと糊代部６２ｂとで、棚部ユニット５３ｂ（図８参照）が構成される。
【００８５】
次に、側面部７０は、正面部５０の左側の辺部、つまり、正面本体部５２ａの左側の辺部と正面本体部５２ｂの左側の辺部と正面本体部５２ｃの左側の辺部とから、折れ線を介して連設され、側面部４０に対して対象（陳列棚の組立て状態において面対象）の形状を呈している。つまり、側面部７０は、縦長の略長方形状の前部側の辺部に２つの切欠部（切欠部７２と切欠部７４）が形成された形状の板状を呈している。つまり、切欠部７２と切欠部７４とが、高さ方向に間隔を介して形成された形状の板状を呈していて、陳列棚の組立て状態において、側面部７０は、正面部５０に対して略直角（直角としてもよい）をなし、側面部４０に対して略平行（平行としてもよい）に対向している。
【００８６】
切欠部７２は、側面部７０の上部側に形成され、等脚台形形状（具体的には、台形の脚が上下に位置して、短い上底が後部側に位置し、上底に平行で上底の長さよりも長い下底が前部側に位置している等脚台形形状）を呈している。また、切欠部７４は、側面部７０の下部側に形成され、等脚台形形状（具体的には、台形の脚が上下に位置して、短い上底が後部側に位置し、上底に平行で上底の長さよりも長い下底が前部側に位置している等脚台形形状）を呈している。側面部７０は側面部４０と対称に形成され、本体部１０の展開状態では、側面部７０と側面部４０とは線対称に形成されている。
【００８７】
次に、糊代部８０は、側面部７０（第１筒状部構成部）の後側の辺部から折れ線を介して連設され、略台形状の板状を呈していて、陳列棚の組立て状態において、側面部７０に対して略直角をなし、背面部３０（第２筒状部構成部）の内側の面部の左端に接着されている。つまり、第１筒状部構成部から連設された糊代部８０が、該第１筒状部構成部と糊代部８０側に隣接する筒状部構成部である第２筒状部構成部と接着している。
【００８８】
次に、底部９０は、図７、図８に示すように、底形成部９２（背面側底形成部）と、底形成部９４（右側面側底形成部）と、底形成部９６（正面側底形成部）と、底形成部９８（左側面側底形成部）とを有していてる。
【００８９】
底形成部９２は、背面部３０の下側の辺部から折れ線を介して連設され、横長の略長方形状の先端側（背面部３０側とは反対側）の辺部における略中央と各側端部とから、横長の略長方形状の突状部９２ａ、９２ｂ、９２ｃが連設された形状の板状を呈している。
【００９０】
底形成部９４は、側面部４０の下側の辺部から折れ線を介して連設され、台形形状（台形の両側の辺部のうち正面部５０側の辺部が側面部４０の下側の辺部に対して直角で、背面部３０側の辺部が側面部４０の下側の辺部に対して鋭角をなす台形形状）の先端側（側面部４０側とは反対側）の辺部から横長の略長方形状の突状部９４ａが連設された形状の板状を呈している。
【００９１】
底形成部９６は、正面部５０の下側の辺部から折れ線を介して連設され、等脚台形形状（台形の両側の辺部で、側面部４０側の辺部と側面部７０側の辺部とが、ともに正面部５０の下側の辺部に対して鋭角をなす等脚台形形状）の先端側（正面部５０側とは反対側）の各側端部に横長の略長方形状の突状部９６ａ、９６ｂが連設された形状の板状を呈している。
【００９２】
底形成部９８は、側面部７０の下側の辺部から折れ線を介して連設され、台形形状（台形の両側の辺部のうち正面部５０側の辺部が側面部７０の下側の辺部に対して直角で、背面部３０側の辺部が側面部７０の下側の辺部に対して鋭角をなす台形形状）の先端側（側面部７０側とは反対側）の辺部から横長の略長方形状の突状部９８ａが連設された形状の板状を呈している。つまり、底形成部９８は、底形成部９４に対して対称（展開状態において線対称）の形状を呈している。
【００９３】
陳列棚の組立て状態においては、各底形成部９２、９４、９６、９８をその基端側の折れ線を介して内側に略直角（直角としてもよい）に折り曲げるとともに、各底形成部９２、９４、９６、９８同士を組み合わせることにより、筒状部２０の下端が閉塞されている。つまり、突状部９６ａが突状部９２ｂと突状部９２ｃの間に差し込まれ、突状部９６ｂが突状部９２ａと突状部９２ｂ間に差し込まれ、底形成部９４は、底形成部９６の上側で底形成部９２の下側となるように底形成部９６及び底形成部９２と重なり合い、底形成部９８は、底形成部９６の上側で底形成部９２の下側となるように底形成部９６及び底形成部９２と重なり合っている。このような底部９０は、Ｂ式底組みタイプと呼ばれていて、アメリカンロック又は地獄底とも呼ばれている。
【００９４】
次に、板状ユニット１００について説明する。図１０に示すように、板状ユニット１００は、縦長の略長方形状の板状を呈していて、板状部１１０と、板状部１１０の上側の辺部から連設された広告表示部１２０とを有している。
【００９５】
板状部１１０は、縦長の略長方形状の板状を呈していて、穴部１１２ａ、１１４ａ、１１２ｂ、１１４ｂ（第１穴部）と、穴部１１２ｃ、１１４ｃ（第３穴部）と、指掛け用穴部１１６ａ、１１６ｂとを有している。
【００９６】
穴部１１２ａは、横長の略長方形状を呈し、板状部１１０の上部側における左側（側面部７０側）の位置に形成され、陳列棚の組立て状態において、略水平（水平としてもよい）の状態にされた棚部本体５６ａの後端から後方（背面部３０側）に突出した状態の突状部５８ａ（特に、図１、図３を参照）が、この穴部１１２ａに挿入され、穴部１１２ａを貫通して後方に突出した突状部５８ａの先端部が、背面部３０の穴部３２ａに挿入されて係止されている（特に、図５を参照）。つまり、穴部１１２ａは、板状ユニット１００において、陳列棚の組立て状態で棚部５４ａの突状部５８ａに対向するとともに背面部３０の穴部３２ａに対向する位置に設けられている。
【００９７】
穴部１１４ａは、穴部１１２ａと左右方向の形成位置が異なる以外は、穴部１１２ａと同様に構成されている。すなわち、穴部１１４ａは、横長の略長方形状を呈し、板状部１１０の上部側における右側（側面部４０側）の位置に形成され、組み立てられて、略水平（水平としてもよい）の状態にされた棚部本体５６ａの後端から後方（背面部３０側）に突出した状態の突状部６０ａ（特に、図１、図３を参照）が、この穴部１１４ａに挿入され、穴部１１４ａを貫通して後方に突出した突状部６０ａの先端部が、背面部３０の穴部３４ａに挿入されて係止されている（特に、図５を参照）。つまり、穴部１１４ａは、板状ユニット１００において、陳列棚の組立て状態で棚部５４ａの突状部６０ａに対向するとともに背面部３０の穴部３４ａに対向する位置に設けられている。穴部１１２ａと穴部１１４ａとは板状ユニット１００において高さ方向に同じ位置に形成され、穴部１１２ａと穴部１１４ａとは、左右方向において対称位置に設けられ、穴部３２ｃの左端と背面部３０の左辺間の長さと穴部３４ｃの右端と背面部３０の右辺間の長さとは、同一に形成されている。
【００９８】
穴部１１２ｂは、穴部１１２ａと上下方向の形成位置が異なる以外は、穴部１１２ａと同様に構成されている。すなわち、穴部１１２ｂは、横長の略長方形状を呈し、板状部１１０の上下方向の中央よりもやや下部側寄りにおける左側（側面部７０側）の位置に形成され、組み立てられて、略水平（水平としてもよい）の状態にされた棚部本体５６ｂの後端から後方（背面部３０側）に突出した状態の突状部５８ｂ（特に、図１、図３を参照）が、この穴部１１２ｂに挿入され、穴部１１２ｂを貫通して後方に突出した突状部５８ｂの先端部が、背面部３０の穴部３２ｂに挿入されて係止されている（特に、図５を参照）。つまり、穴部１１２ｂは、陳列棚の組立て状態で棚部５４ｂの突状部５８ｂに対向するとともに背面部３０の穴部３２ｂに対向する位置に設けられている。
【００９９】
穴部１１４ｂは、穴部１１２ｂと左右方向の形成位置が異なる以外は、穴部１１２ｂと同様に構成されている。すなわち、穴部１１４ｂは、横長の略長方形状を呈し、板状部１１０の上下方向の中央よりもやや下部側寄りにおける右側（側面部４０側）の位置に形成され、陳列棚の組立て状態において、略水平（水平としてもよい）の状態にされた棚部本体５６ｂの後端から後方（背面部３０側）に突出した状態の突状部６０ｂ（特に、図１、図３を参照）が、この穴部１１４ｂに挿入され、穴部１１４ｂを貫通して後方に突出した突状部６０ｂの先端部が、背面部３０の穴部３４ｂに挿入されて係止されている（特に、図５を参照）。つまり、穴部１１４ｂは、陳列棚の組立て状態で棚部５４ｂの突状部６０ｂに対向するとともに背面部３０の穴部３４ｂに対向する位置に設けられている。
【０１００】
穴部１１２ｃは、横長の略長方形状を呈し、上記穴部１１２ａよりも上側で左側（側面部７０側）の位置に形成されている。この穴部１１２ｃは、陳列棚の組立て状態において、背面部３０の穴部３２ｃと重合され、穴部１１２ｃと穴部３２ｃとにより、陳列棚５を吊り下げた状態で使用する場合に、吊下げ用の部材を挿通するための吊下げ用穴部Ｆａが形成されている。
【０１０１】
穴部１１４ｃは、横長の略長方形状を呈し、上記穴部１１４ａよりも上側で右側（側面部４０側）の位置に形成されている。この穴部１１４ｃは、陳列棚の組立て状態において、背面部３０の穴部３４ｃと重合され、穴部１１４ｃと穴部３４ｃとにより１つの穴部が形成され、この穴部が、陳列棚５を吊り下げた状態で使用する場合に、吊下げ用の部材を挿通するための吊下げ用穴部Ｆｂとなる。
【０１０２】
また、陳列棚５を吊り下げた際の姿勢の平衡を保ち易くするために、穴部１１２ｃと穴部１１４ｃとは、板状部１１０における同一水平線上（同一高さ）に位置しているとともに、板状部１１０の幅方向の中央線と上記水平線との交点からの距離が略同一となる位置に形成されている。
【０１０３】
指掛け部構成部１１６ａ（第２指掛け部構成部、指掛け用穴部）は、板状部１１０の幅方向の略中央の位置で、かつ、穴部１１２ａ及び穴部１１４ａよりもやや下側の位置において、板状部１１０の一部分を半円形（具体的には、弦が下部側に位置し、弧が上部側に位置している半円形）に切り抜くことにより形成されている。また、指掛け部構成部１１６ａは、正面部５０の糊代部６２ａに設けられた指掛け部構成部６４ａと重合されている。つまり、指掛け部構成部６４ａと指掛け部構成部１１６ａとを重合することにより１つの穴部形成され、陳列棚５を組み立てる際に指を掛けるための指掛け部Ｇａが形成されている。（図３、図４を参照）。
【０１０４】
指掛け部構成部１１６ｂ（第２指掛け部構成部、指掛け用穴部）は、板状部１１０の幅方向の略中央の位置で、かつ、穴部１１２ｂ及び穴部１１４ｂよりもやや下側の位置において、板状部１１０の一部分を半円形（具体的には、弦が下部側に位置し、弧が上部側に位置している半円形）に切り抜くことにより形成されている。また、指掛け部構成部１１６ｂは、正面部５０の糊代部６２ｂに設けられた指掛け部構成部６４ｂと重合されている。つまり、指掛け部構成部６４ｂと指掛け部構成部１１６ｂとを重合することにより１つの穴部が形成され、陳列棚５を組み立てる際に指を掛けるための指掛け部Ｇｂが形成されている（図３、図４を参照）。
【０１０５】
広告表示部１２０は、板状部１１０の上側の辺部から連設され、横長の略長方形状の板状を呈していて、陳列棚の組立て状態において、その大部分が背面部３０の上端位置よりも上方に突出している。また、板状部１１０と広告表示部１２０との境界位置には、その幅方向の略中央に切込みＫ１２４が形成され、切込みＫ１２４の左側には、折れ線Ｃ５０（第３折れ線）と、切込みＫ１２６とが順に形成され、切込みＫ１２４の右側には、折れ線Ｃ６０（第３折れ線）と、切込みＫ１２８とが順に形成されている。
【０１０６】
切込みＫ１２４は、板状部１１０と広告表示部１２０との境界位置において、板状ユニット１００の幅方向における略中央に形成され、広告表示部１２０側から板状部１１０側に突出する略コ字状を呈している。つまり、切込みＫ１２４は、切込みＫ１２４ａと、切込みＫ１２４ｂと、切込みＫ１２４ｃとを有し、切込みＫ１２４ａは、板状ユニット１００の幅方向に沿って略水平に形成され、切込みＫ１２４ｂは、切込みＫ１２４ａの左端から広告表示部１２０側に伸びていて、切込みＫ１２４ａに対して略直角をなし、切込みＫ１２４ｃは、切込みＫ１２４ａの右側の端部から広告表示部１２０側に伸びていて、切込みＫ１２４ａに対して略直角をなしている。
【０１０７】
折れ線Ｃ５０は、切込みＫ１２４ｂの広告表示部１２０側の端部から左側に略水平に形成され、切込みＫ１２６は、折れ線Ｃ５０の左側の端部から連設されている。切込みＫ１２６は鉤状を呈し、切込みＫ１２６ａと、切込みＫ１２６ｂとを有し、切込みＫ１２６ａは、折れ線Ｃ５０の左側の端部から広告表示部１２０側に形成され、折れ線Ｃ５０に対して略直角をなし、切込みＫ１２６ｂは、切込みＫ１２６ａの広告表示部１２０側の端部から板状ユニット１００の左側の辺部までに形成され、切込みＫ１２６ａに対して略直角をなしている。
【０１０８】
折れ線Ｃ６０は、切込みＫ１２４ｃの広告表示部１２０側の端部から右側に略水平に形成され、折れ線Ｃ５０と折れ線Ｃ６０とは、同一直線上に位置している。また、切込みＫ１２８は鉤状を呈し、折れ線Ｃ６０の右側の端部から連設されていて、切込みＫ１２８ａと、切込みＫ１２８ｂとを有し、切込みＫ１２８ａは、折れ線Ｃ６０の右側の端部から広告表示部１２０側に伸びていて、折れ線Ｃ６０に対して略直角をなし、切込みＫ１２８ｂは、切込みＫ１２８ａの広告表示部１２０側の端部から板状ユニット１００の右側の辺部までに形成され、切込みＫ１２８ａに対して略直角をなしている。
【０１０９】
つまり、広告表示部１２０は、横長の略長方形状の板状を呈する広告表示部本体１２２と、広告表示部本体１２２の下側の辺部の略中央から連設され、横長の略長方形状の板状を呈している突状部１２４（第３突状部）とを有していて、突状部１２４と板状部１１０との境界位置には切込みＫ１２４が形成され、広告表示部本体１２２は、板状部１１０との上側の辺部から折れ線Ｃ５０及び折れ線Ｃ６０を介して連設されている。
【０１１０】
ここで、板状部１１０の幅方向の長さは、背面部３０と正面部５０の幅方向の長さよりもやや短く、また、板状部１１０の下側の辺部から折れ線Ｃ５０及び折れ線Ｃ６０までの長さｍ１は、背面部３０の下側の辺部から背面部３０の突状部３６の基端までの長さｍ２と同一（略同一としてもよい）である。つまり、陳列棚の組立て状態において、板状部１１０は、その下側の辺部を底部９０に当接させた状態で、背面部３０に重合されていて、広告表示部１２０においては、その大部分が背面部３０の上端部よりも上方に突出している。
【０１１１】
また、背面部３０の突状部３６は、板状ユニット１００の背面側から切込みＫ１２４に挿入されて、広告表示部１２０の正面側に露出し、突状部３６は上向きに伸び、切込みＫ１２４は折れ線Ｃ５０及び折れ線Ｃ６０よりも下側に形成されているため、突状部３６は広告表示部１２０の正面側に当接して係止される。
【０１１２】
また、広告表示部１２０の突状部１２４は下向きに伸びているため、背面部３０の背面側に当接して係止される。このように、突状部３６と突状部１２４とにより、広告表示部１２０の基端側が支持され、広告表示部１２０の起立状態が維持されている。
【０１１３】
また、突状部３６を切込みＫ１２４に挿入する際には、板状ユニット１００を僅かに撓ませ、板状ユニット１００を背面部３０から正面側に少し引き離した状態で、折れ線Ｃ５０及び折れ線Ｃ６０を介して、広告表示部１２０を板状部１１０に対して、正面側に略直角に折り曲げ、広告表示部１２０の突状部１２４を略水平の状態にする。次に、板状部１１０を背面部３０側に押し戻すと、突状部１２４の先端部は突状部３６の上方を通過し、突状部３６の後方に配置される。次に、折れ線Ｃ５０及び折れ線Ｃ６０を介して、広告表示部１２０を背面部３０側に引き起こして起立させる。すると、突状部１２４は、背面部３０の背面側に回り込んで、背面部３０に係止され、突状部３６は、広告表示部１２０の正面側に露出し、広告表示部１２０に係止される。
【０１１４】
なお、切込みＫ１２６及び切込みＫ１２８は、折れ線Ｃ５０及び折れ線Ｃ６０を介して、広告表示部１２０を折り曲げる際の動作を円滑にするためのものである。また、切込みＫ１２６が、切込みＫ１２６ａと、切込みＫ１２６ｂとを有し、切込みＫ１２６ａが、折れ線Ｃ５０の左側の端部から広告表示部１２０側に伸びていて、折れ線Ｃ５０に対して略直角をなし、切込みＫ１２６ｂが、切込みＫ１２６ａの広告表示部１２０側の端部から板状ユニット１００の左側の辺部までに形成され、切込みＫ１２６ａに対して略直角をなしていることにより、折り曲げを繰り返すことによる切込みＫ１２６の折れ線Ｃ５０側への進行が防止されている。また、切込みＫ１２８が、切込みＫ１２８ａと、切込みＫ１２８ｂとを有し、切込みＫ１２８ａが、折れ線Ｃ６０の右側の端部から広告表示部１２０側に伸びていて、折れ線Ｃ６０に対して略直角をなし、切込みＫ１２８ｂが、切込みＫ１２８ａの広告表示部１２０側の端部から板状ユニット１００の右側の辺部までに形成され、切込みＫ１２８ａに対して略直角をなしていることにより、折り曲げを繰り返すことによる切込みＫ１２８の折れ線Ｃ６０側への進行が防止されている。
【０１１５】
次に、陳列棚５の組み立て手順について説明する。陳列棚５は、搬送又は収納される際には、図１２に示すように、折り畳まれている。つまり、陳列棚５の折畳み状態では、底部９０が開状態（筒状部２０の下端の開口を開いた状態）で、一方の側面部（例えば、側面部７０）を、その前側の折れ線を介して後方に折り畳むとともに、他方の側面部（例えば、側面部４０）をその前側の折れ線を介して前方に展開し、正面部５０と側面部７０とが略平行となり、背面部３０と側面部４０とが略平行になるようにし（つまり、正面部５０と側面部４０とが１つの平板状（つまり、面一）となり、背面部３０と側面部７０とが１つの平板状（つまり、面一）となるようにする）、背面部３０の内側の面部と板状ユニット１００の背面側の面部とが、互いに当接しているとともに、正面部５０の内側の面部と板状ユニット１００の正面側の面部とが、互いに当接した状態にしている。また、陳列棚５の組立て状態に比べて、筒状部２０における背面部３０が正面本体部５２ａ〜５２ｃに近づいた状態であり、また、棚部ユニット５３ａ（つまり、棚部５４ａと糊代部６２ａ）が正面本体部５２ａから下方に向いた状態であり、棚部ユニット５３ｂ（つまり、棚部５４ｂと糊代部６２ｂ）が正面本体部５２ｂから下方に向いた状態となっている。つまり、棚部５４ａ、５４ｂと糊代部６２ａ、６２ｂとが上下方向に向いた状態となっている。また、板状部１１０の下端が筒状部２０の下端から下方に突出している。
【０１１６】
陳列棚を組立て状態にするには、まず、筒状部２０の形状を整える。つまり、図１３に示すように、背面部３０と、側面部４０と、正面部５０と、側面部７０とが、それぞれ隣接部に対して略直角をなし、全体が四角筒形状を呈するようにする（例えば、背面部３０が正面本体部５２ａ〜５２ｃから遠ざかる状態とする）。この状態では、正面部５０の全体が１枚の板状（各正面本体部５２ａ、５２ｂ、５２ｃと、各棚部５４ａ、５４ｂと、各糊代部６２ａ、６２ｂとが面一な状態）を呈していて、板状ユニット１００は、正面部５０側に位置している。
【０１１７】
次に、板状ユニット１００を背面部３０側の上方に向かって引っ張る。この際、指掛け部Ｇａ又は指掛け部Ｇｂに指を掛けて押し上げるようにしてもよい。すると、図１４（折れ線については図９を参照）に示すように、板状ユニット１００は、背面部３０との平行状態と、正面部５０との平行状態とを維持したまま、上方に移動するとともに、背面部３０側に移動する。
【０１１８】
また、糊代部６２ａにより、棚部本体５６ａの下端側（陳列棚の組立て状態での後端側）が、板状ユニット１００の板状部１１０に連結されているので、棚部本体５６ａは、その上端側の折れ線Ｃ１０ａを介して、正面本体部５２ａに対して、背面部３０側に折り曲げられ、傾斜した状態となる。
【０１１９】
この際、棚部本体５６ａの下端から連設されている突状部５８ａは、板状部１１０の穴部１１２ａに挿入されて、板状部１１０を貫通し、突状部５８ａの先側部が穴部１１２ａから後方に露出した状態となる。また、棚部本体５６ａの下端から連設されている突状部６０ａは、板状部１１０の穴部１１４ａに挿入されて、板状部１１０を貫通し、突状部６０ａの先端側が穴部１１４ａから後方に露出した状態となる。
【０１２０】
また、糊代部６２ａは、板状部１１０に重合した状態で接着されているので、その上端側の折れ線Ｃ２０ａ、Ｃ３０ａ、Ｃ４０ａを介して、棚部本体５６ａに対して、正面側に折れ曲がる。つまり、糊代部６２ａは、板状ユニット１００とともに、背面部３０との平行状態を維持したまま、元の位置よりも上方でかつ背面部３０側に移動する。
【０１２１】
同様に、糊代部６２ｂにより、棚部本体５６ｂの下端側（陳列棚の組立て状態での後端側）が、板状ユニット１００の板状部１１０に連結されているので、棚部本体５６ｂは、その上端側の折れ線Ｃ１０ｂを介して、正面本体部５２ｂに対して、背面部３０側に折り曲げられ、傾斜した状態となる。
【０１２２】
この際、棚部本体５６ｂの下端から連設されている突状部５８ｂは、板状部１１０の穴部１１２ｂに挿入されて、板状部１１０を貫通し、突状部５８ｂの先端側が穴部１１２ｂから後方に露出した状態となる。また、棚部本体５６ｂの下端から連設されている突状部６０ｂは、板状部１１０の穴部１１４ｂに挿入されて、板状部１１０を貫通し、突状部６０ｂの先端側が穴部１１４ｂから後方に露出した状態となる。
【０１２３】
また、糊代部６２ｂは、板状部１１０に重合した状態で接着されているので、その上端側の折れ線Ｃ２０ｂ、Ｃ３０ｂ、Ｃ４０ｂを介して、棚部本体５６ｂに対して、正面側に折れ曲がる。つまり、糊代部６２ｂは、板状ユニット１００とともに、背面部３０との平行状態を維持したまま、元の位置よりも上方でかつ背面部３０側に移動する。
【０１２４】
次に、図１５に示すように、板状ユニット１００を背面部３０に重合させるとともに、突状部５８ａの先端部を背面部３０の穴部３２ａに挿入して係止させ、突状部６０ａの先端部を背面部３０の穴部３４ａに挿入して係止させ、突状部５８ｂの先端部を背面部３０の穴部３２ｂに挿入して係止させ、突状部６０ｂの先端部を背面部３０の穴部３４ｂに挿入して係止させる。この際、棚部本体５６ａは、折れ線Ｃ１０ａを介して正面本体部５２ａに対して背面部３０側に略直角（直角としてもよい）に折り曲げられ、棚部本体５６ｂは、折れ線Ｃ１０ｂを介して正面本体部５２ｂに対して背面部３０側に略直角（直角としてもよい）に折り曲げられている。つまり、棚部本体５６ａ及び棚部本体５６ｂは、略水平（水平としてもよい）な状態になっている。
【０１２５】
次に、底部９０を組み立てて筒状部２０の下端の開口を閉じた状態とする（図７を参照）。まず、背面部３０と底形成部９２との境界に位置する折れ線を介して、底形成部９２を背面部３０に対して、正面部５０側に略直角に折り曲げる。次に、側面部４０と底形成部９４との境界に位置する折れ線を介して、底形成部９４を側面部４０に対して、側面部７０側に略直角に折り曲げるとともに、側面部７０と底形成部９８との境界に位置する折れ線を介して、底形成部９８を側面部７０に対して、側面部４０側に略直角に折り曲げる。次に、正面部５０と底形成部９６との境界に位置する折れ線を介して、底形成部９６を正面部５０に対して、背面部３０側に略直角に折り曲げ、底形成部９６の左側の端部を底形成部９８に重ね、底形成部９６の右側の端部を底形成部９４に重ね、底形成部９６を陳列棚５の上側に強く押し込んで、底形成部９６の先端側の凹凸形状と底形成部９２の先端側の凹凸形状とを噛み合わせることにより、底形成部９２と底形成部９６とが互いに相手方に係止される。底部９０を以上のように組み立てることにより、突状部５８ａ、６０ａ、５８ｂ、６０ｂが背面部３０における対応する穴部に係止した状態では、板状ユニット１００の板状部１１０の下端は、底部９０に接している。
【０１２６】
最後に、背面部３０の突状部３６を広告表示部１２０の切込みＫ１２４に挿入し、背面部３０の突状部３６を広告表示部１２０の正面側に係止させ、また、広告表示部１２０の突状部１２４を背面部３０の背面側に係止させ、これにより、広告表示部１２０の基端側を支持させる。以上のようにして、陳列棚５が「陳列棚の組立て状態」となる。
【０１２７】
なお、陳列棚５を折り畳む際には、上記手順を逆に行えばよい。陳列棚５を折り畳む際、板状ユニット１００は筒状部２０に対して下方に移動させることになるが、その際、指掛け部Ｇａ又は指掛け部Ｇｂに指を掛けて押し下げるようにしてもよい。
【０１２８】
なお、上記実施例では、棚部が２段である陳列棚５について説明をしたが、棚部の段数については、１段だけでも、３段以上でもよい。また、糊代部８０は、側面部７０の後側（背面部３０側）の辺部から連設されているとしたが、糊代部８０が背面部３０の左側（側面部７０側）の辺部から連設されていてもよく、また、背面部３０は、側面部４０の後側の辺部から連設されているとしたが、背面部３０が側面部７０の後側の辺部から連設されていてもよく、その場合、糊代部８０は、背面部３０の右側（側面部４０側）の辺部から連設されていてもよいし、側面部４０の後側の辺部から連設されていてもよい。つまり、背面部３０と側面部４０と側面部７０の各筒状部構成部のいずれかである第１筒状部構成部から連設された糊代部が、該第１筒状部構成部と糊代部側に隣接する筒状部構成部である第２筒状部構成部と接着している構成であればよい。また、底部９０については、アメリカンロック式のものに限らず、例えば、サック式の底部でもよい。また、板状部１１０と広告表示部１２０との境界位置において、左側の端部に切込みＫ１２６が形成され、右側の端部に切込みＫ１２８が形成されているとしたが、切込みＫ１２６及び切込みＫ１２８については、必要とは限らず、切込みＫ１２６及び切込みＫ１２８がなく、折れ線Ｃ５０が板状ユニット１００の左側の端部まで形成され、折れ線Ｃ６０が板状ユニット１００の右側の端部まで形成されていてもよい。
【０１２９】
以上のように、陳列棚５においては、各非最下段正面本体部５２ａ、５２ｂの下側の辺部から連設された棚部５４ａ、５４ｂが、正面部５０と背面部３０との間に設けられた板状ユニット１００に連結されているので、板状ユニット１００を背面部３０側の上方に向かって引き上げるだけで、全ての棚部５４ａ、５４ｂが板状ユニット１００の動作に連動して、一度に折り曲げられ、組み立てに手間が掛からず、迅速かつ簡単に組み立てることができる。また、陳列棚の組立て状態の板状ユニット１００の下端が、底部に当接しているので、棚部５４ａ、５４ｂを支持している板状ユニット１００が、棚部５４ａ、５４ｂ上に載置された陳列物の荷重により、位置ずれすることがなく、また、荷重を受ける棚部５４ａ、５４ｂと板状ユニット１００との連結が、面部同士の固定による強固なものであるので、堅牢な構造を有していて、耐荷重性及び耐久性に優れている。また、陳列物が接触する部分、つまり、棚部５４ａ、５４ｂの上側の面部と、側面部４０、７０の内側の面部と、板状ユニット１００の正面側の面部とが、平坦面であるので、陳列物の出し入れの際の使い勝手がよく、外観上の印象もよく美観に優れている。また、折り畳む際には、板状ユニット１００を下降させつつ正面本体部５２ａ、５２ｂ、５２ｃ側に移動させることにより、各正面本体部５２ａ、５２ｂ、５２ｃと各棚部５４ａ、５４ｂと各糊代部６２ａ、６２ｂとが面一となり、正面部５０が板状となるので、正面部５０を板状にした後、一方の側面部を該一方の側面部と正面部５０との境界位置の折れ線を介して背面側に折り曲げ、一方の側面部を板状ユニット１００の背面側に折り重ねるとともに、他方の側辺部を該他方の側面部と正面部５０の境界位置の折れ線を介して正面側に折り曲げ、他方の側面部と正面部５０とを面一な状態にすることにより、通常の筒状の箱と同様に、陳列棚５の全体を扁平に折り畳むことができる。
【０１３０】
また、棚部５４ａの突状部５８ａが板状ユニット１００の穴部１１２ａを貫通して背面部３０の穴部３２ａに係止され、棚部５４ａの突状部６０ａが板状ユニット１００の穴部１１４ａを貫通して背面部３０の穴部３４ａに係止され、棚部５４ｂの突状部５８ｂが板状ユニット１００の穴部１１２ｂを貫通して背面部３０の穴部３２ｂに係止され、棚部５４ｂの突状部６０ｂが板状ユニット１００の穴部１１４ｂを貫通して背面部３０の穴部３４ｂに係止されているので、各棚部５４ａ、５４ｂは糊代部６２ａ、６２ｂによる板状ユニット１００への固定だけでなく、突状部５８ａ、６０ａ、５８ｂ、６０ｂと背面部３０とによっても支持され、より堅牢となり、耐荷重性及び耐久性が向上する。
【０１３１】
また、板状ユニット１００が、板状部１１０と、広告表示部１２０とを有していることにより、商品の陳列をするとともに、ＰＯＰ広告を表示することができる。
【０１３２】
また、背面部３０の突状部３６を板状ユニット１００の背面側から切込みＫ１２４に挿入することにより、突状部３６が広告表示部１２０の正面側に当接して係止され、突状部１２４が背面部３０の背面側に当接して係止されるので、突状部３６と突状部１２４とにより、広告表示部１２０の基端側を支持して、広告表示部１２０の起立状態を維持することができる。また、突状部３６と突状部１２４とが互いに係止されることにより、板状ユニット１００の位置固定がより強固となり、耐荷重性及び耐久性がさらに向上する。
【０１３３】
また、背面部３０が、その上端側の各側端に形成された突状部３８ａ、３８ｂを有しているので、突状部３８ａ、３８ｂにより、広告表示部１２０の背面側を支持して、突状部３６と突状部１２４とによる広告表示部１２０の起立状態維持を補助することができる。
【０１３４】
また、紐等の吊下げ用の部材を吊下げ用穴部Ｆａ、Ｆｂに挿通することにより、陳列棚５を吊り下げて使用することができるだけでなく、板状ユニット１００と背面部３０とが紐等の吊下げ用の部材によって連結されているので、底部９０が宙に浮いて、底部９０を支持するものがなくても、板状ユニット１００が所定の位置からずり落ちてしまわず、吊り下げ使用にも耐え得る十分な耐荷重性及び耐久性を確保することができる。
【０１３５】
また、底部９０の閉塞、閉塞の解除が容易であり、例えば底部９０がアメリカンロック式の陳列棚５にあっては、底部９０の強度が高く、このことにより、陳列棚５の耐荷重性及び耐久性が一層向上する。
【０１３６】
また、切欠部４２が、側面部４０の正面側の辺部における正面本体部５２ａと正面本体部５２ｂとの間に形成され、切欠部４４が、側面部４０の正面側の辺部における正面本体部５２ｂと正面本体部５２ｃとの間に形成され、切欠部７２が、側面部７０の正面側の辺部における正面本体部５２ａと正面本体部５２ｂとの間に形成され、切欠部７４が、側面部７０の正面側の辺部における正面本体部５２ｂと正面本体部５２ｃとの間に形成されていていることにより、陳列物の棚部５４ｂ及び底部９０への出し入れが容易であり、また、切欠部４２、４４、７２、７４の形状を適宜選択又は創作することにより、陳列棚の美観の向上を図ることができる。
【０１３７】
また、指掛け部Ｇａ、Ｇｂが設けられているので、板状ユニット１００を筒状部２０に対して上方に移動させたり、下方に移動させる際に、指を掛けて使用することができる。特に、陳列棚５を組み立てる際に、板状ユニット１００を上方に引き上げる操作を容易とすることができる。また、指掛け部Ｇａが指掛け部構成部６４ａと指掛け部構成部１１６ａとで構成され、指掛け部Ｇｂが指掛け部構成部６４ｂと指掛け部構成部１１６ｂとで構成されているので、指掛け部Ｇａ、Ｇｂに加えた力が糊代部６２ａ、６２ｂと棚部５４ａ、５４ｂとの両方に具合よく伝達され、糊代部６２ａ、６２ｂと板状部５４ａ、５４ｂのどちらか一方に偏らないので、糊代部６２ａ、６２ｂが板状部５４ａ、５４ｂから剥離し難く、耐久性がさらに向上する。
【符号の説明】
【０１３８】
５  陳列棚
１０  本体部
２０  筒状部
３０  背面部
３２ａ、３４ａ、３２ｂ、３４ｂ  穴部
Ｋ３２１、Ｋ３２２、Ｋ３４１、Ｋ３４２  切込み
Ｌ３２１、Ｌ３２２、Ｌ３４１、Ｌ３４２  切込み
３２ｃ、３４ｃ  穴部
３６、３８ａ、３８ｂ  突状部
４０  側面部（右側面部）
４２、４４  切欠部
５０  正面部
５２ａ、５２ｂ、５２ｃ  正面本体部
５４ａ、５４ｂ  棚部
５６ａ、５６ｂ  棚部本体
５８ａ、６０ａ、５８ｂ、６０ｂ  突状部
Ｋ５８、Ｋ５８１、Ｋ５８２、Ｋ５８３  切込み
Ｋ６０、Ｋ６０１、Ｋ６０２、Ｋ６０３  切込み
Ｌ５８、Ｌ５８１、Ｌ５８２、Ｌ５８３  切込み
Ｌ６０、Ｌ６０１、Ｌ６０２、Ｌ６０３  切込み
Ｃ１０ａ、Ｃ２０ａ、Ｃ３０ａ、Ｃ４０ａ  折れ線
Ｃ１０ｂ、Ｃ２０ｂ、Ｃ３０ｂ、Ｃ４０ｂ  折れ線
６２ａ、６２ｂ  糊代部
６４ａ、６４ｂ  指掛け部構成部
７０  側面部（左側面部）
７２、７４  切欠部
８０  糊代部
９０  底部
９２、９４、９６、９８  底形成部
１００  板状ユニット
１１０  板状部
１１２ａ、１１４ａ、１１２ｂ、１１４ｂ  穴部
１１２ｃ、１１４ｃ  穴部
１１６ａ、１１６ｂ  指掛け部構成部
１２０  広告表示部
１２２  広告表示部本体
１２４  突状部
Ｋ１２４  Ｋ１２４ａ、Ｋ１２４ｂ、Ｋ１２４ｃ  切込み
Ｃ５０、Ｃ６０  折れ線
Ｋ１２６、Ｋ１２６ａ、Ｋ１２６ｂ  切込み
Ｋ１２８、Ｋ１２８ａ、Ｋ１２８ｂ  切込み
Ｆａ、Ｆｂ  吊下げ用穴部
Ｇａ、Ｇｂ  指掛け部
【図１】
0005987020.tif 000002
【図２】
0005987020.tif 000003
【図３】
0005987020.tif 000004
【図４】
0005987020.tif 000005
【図５】
0005987020.tif 000006
【図６】
0005987020.tif 000007
【図７】
0005987020.tif 000008
【図８】
0005987020.tif 000009
【図９】
0005987020.tif 000010
【図１０】
0005987020.tif 000011
【図１１】
0005987020.tif 000012
【図１２】
0005987020.tif 000013
【図１３】
0005987020.tif 000014
【図１４】
0005987020.tif 000015
【図１５】
0005987020.tif 000016